(57)【要約】  ユーザ装置により第１の送信タイムインターバル中に空間的マルチプレクシングを経てワイヤレスネットワークのネットワークノードへ、第１のトランスポートブロックを経て第１のプロトコルデータユニットの第１インスタンスを及び第２のトランスポートブロックを経て第２のプロトコルデータユニットの第１インスタンスを送信するのを制御し、第１のトランスポートブロックがネットワークノードにより受信されなかったことを指示する第１のトランスポートブロックに関連した第１のデータ指示子を受信するのを制御し、及びユーザ装置により第１のデータ指示子の受信に応答して第２の送信タイムインターバル中に空間的マルチプレクシングを経てネットワークノードへ、第３のトランスポートブロックを経て第１のプロトコルデータユニットの第２インスタンスの少なくとも一部分を及び第４のトランスポートブロックを経て第１のプロトコルデータユニットの第３インスタンスの少なくとも一部分を送信するのを制御するための技術が提供される。【選択図】図６
2019504544.tif 000002
【特許請求の範囲】
【請求項１】
ユーザ装置により第１の送信タイムインターバル中に空間的マルチプレクシングを経てワイヤレスネットワークのネットワークノードへ、第１のトランスポートブロックを経て第１のプロトコルデータユニットの第１インスタンスを及び第２のトランスポートブロックを経て第２のプロトコルデータユニットの第１インスタンスを送信するのを制御し；
第１のトランスポートブロックがネットワークノードにより受信されなかったことを指示する第１のトランスポートブロックに関連した第１のデータ指示子を受信するのを制御し；
第２のトランスポートブロックがネットワークノードにより受信されたことを示す第２のトランスポートブロックに関連した第２のデータ指示子を受信するのを制御し；及び
ユーザ装置により第１のデータ指示子の受信に応答して第２の送信タイムインターバル中に空間的マルチプレクシングを経てネットワークノードへ、第３のトランスポートブロックを経て第１のプロトコルデータユニットの第２インスタンスの少なくとも一部分を及び第４のトランスポートブロックを経て第１のプロトコルデータユニットの第３インスタンスの少なくとも一部分を送信するのを制御する；
ことを含む、方法。
【請求項２】
前記ユーザ装置により第１のデータ指示子の受信に応答して第２の送信タイムインターバル中にネットワークノードへ、第３のトランスポートブロックを経て第１のプロトコルデータユニットの第２インスタンスを送信するのを前記制御することは、ユーザ装置により第１のデータ指示子の受信に応答して第２の送信タイムインターバル中にネットワークノードへ、第３のトランスポートブロックを経て第１のプロトコルデータユニットの第１の冗長性バージョンを送信するのを制御することを含み；及び
前記ユーザ装置により第１のデータ指示子の受信に応答して第２の送信タイムインターバル中にネットワークノードへ、第４のトランスポートブロックを経て第１のプロトコルデータユニットの第３インスタンスを送信するのを前記制御することは、ユーザ装置により第１のデータ指示子の受信に応答して第２の送信タイムインターバル中にネットワークノードへ、第４のトランスポートブロックを経て第１のプロトコルデータユニットの第２の冗長性バージョンを送信するのを制御することを含み、第１の冗長性バージョン及び第２の冗長性バージョンは、異なるものである；請求項１に記載の方法。
【請求項３】
前記第３のトランスポートブロックは、第１のプロトコルデータユニットの冗長性バージョンとしての第１のトランスポートブロックの再送信であり、前記冗長性バージョンは、ネットワークノードにより指示され、及び
前記第４のトランスポートブロックは、第１のトランスポートブロックの複写である、請求項１又は２に記載の方法。
【請求項４】
ユーザ装置によりネットワークノードへ、ユーザ装置が送信のためのデータを有していないことを指示するバッファ状態レポートを送信するのを制御することを更に含む、請求項２に記載の方法。
【請求項５】
ユーザ装置により第１及び第２の冗長性バージョンを選択すること；及び
ユーザ装置によりネットワークノードから、第１及び第２の冗長性バージョンを指示する制御シグナリングを受信するのを制御すること；
の少なくとも１つを使用して、第１及び第２の冗長性バージョンを特定する、請求項２に記載の方法。
【請求項６】
第３のトランスポートブロックを経て第１のプロトコルデータユニットの第２インスタンスの少なくとも一部分、及び第４のトランスポートブロックを経て第１のプロトコルデータユニットの第３インスタンスの少なくとも一部分、の両方を送信するのを制御するために、共通の変調及びコード化スキームが使用される、請求項１から５のいずれかに記載の方法。
【請求項７】
第３のトランスポートブロックを経て第１のプロトコルデータユニットの第２インスタンスの少なくとも一部分を送信するのを制御するために第１の変調及びコード化スキームが使用され、及び第４のトランスポートブロックを経て第１のプロトコルデータユニットの第３インスタンスの少なくとも一部分を送信するのを制御するために、第１の変調及びコード化スキームとは異なる第２の変調及びコード化スキームが使用される、請求項１から６のいずれかに記載の方法。
【請求項８】
前記第１のプロトコルデータユニットの第２インスタンスの少なくとも一部分は、第１のプロトコルデータユニットの第２インスタンスが初期の又は非複写のプロトコルデータユニットであることを指示するプロトコルデータユニットタイプフィールドを含み；
前記第１のプロトコルデータユニットの第３インスタンスの少なくとも一部分は、第１のプロトコルデータユニットの第３インスタンスのペイロードが第１のプロトコルデータユニットの第２インスタンスのペイロードの複写であることを指示するプロトコルデータユニットタイプフィールドを含む；請求項１から７のいずれかに記載の方法。
【請求項９】
ユーザ装置によりネットワークノードから、第１のプロトコルデータユニットの第２インスタンス及び第３インスタンスの両方ではなく、第１のプロトコルデータユニットの第２インスタンス及び第３インスタンスの一方のみに対するハイブリッドＡＲＱフィードバックを受信するのを制御することを更に含む、請求項１から８のいずれかに記載の方法。
【請求項１０】
前記第１のプロトコルデータユニットは、複数のサービスデータユニットを備え、各サービスデータユニットは、プライオリティを有し、前記方法は、更に、第１のプロトコルデータユニットのサービスデータユニットの１つ以上を、それらサービスデータユニットのプライオリティに基づいて、第１のプロトコルデータユニットの第３インスタンスの少なくとも一部分に割り当てることを含む、請求項１から９のいずれかに記載の方法。
【請求項１１】
前記第１のプロトコルデータユニットは、複数のサービスデータユニット及び複数の制御要素を備え、各サービスデータユニット及び制御要素は、プライオリティを有し、前記方法は、更に、第１のプロトコルデータユニットのサービスデータユニット及び制御要素の少なくとも１つを、サービスデータユニットのプライオリティ及び制御要素のプライオリティに基づいて第１のプロトコルデータユニットの第３インスタンスの少なくとも一部分に割り当てることを含む、請求項１から１０のいずれかに記載の方法。
【請求項１２】
請求項１から１１のいずれかに記載の方法を実施するための手段を備えた装置。
【請求項１３】
コンピュータで実行されたとき請求項１から１１のいずれかに記載のステップを遂行するためのソフトウェアコード部分を含むコンピュータ用のコンピュータプログラム製品。
【請求項１４】
少なくとも１つのプロセッサ、及びコンピュータインストラクションを含む少なくとも１つのメモリを備えた装置において、前記コンピュータインストラクションは、少なくとも１つのプロセッサにより実行されたときに、装置が、
ユーザ装置により第１の送信タイムインターバル中に空間的マルチプレクシングを経てワイヤレスネットワークのネットワークノードへ、第１のトランスポートブロックを経て第１のプロトコルデータユニットの第１インスタンスを及び第２のトランスポートブロックを経て第２のプロトコルデータユニットの第１インスタンスを送信するのを制御し；
第１のトランスポートブロックがネットワークノードにより受信されなかったことを指示する第１のトランスポートブロックに関連した第１のデータ指示子を受信するのを制御し；
第２のトランスポートブロックがネットワークノードにより受信されたことを示す第２のトランスポートブロックに関連した第２のデータ指示子を受信するのを制御し；及び
ユーザ装置により第１のデータ指示子の受信に応答して第２の送信タイムインターバル中に空間的マルチプレクシングを経てネットワークノードへ、第３のトランスポートブロックを経て第１のプロトコルデータユニットの第２インスタンスの少なくとも一部分を及び第４のトランスポートブロックを経て第１のプロトコルデータユニットの第３インスタンスの少なくとも一部分を送信するのを制御する；
ようにさせるものである、装置。
【請求項１５】
前記ユーザ装置により第１のデータ指示子の受信に応答して第２の送信タイムインターバル中にネットワークノードへ、第３のトランスポートブロックを経て第１のプロトコルデータユニットの第２インスタンスを送信するのを前記装置に制御させるインストラクションは、ユーザ装置により第１のデータ指示子の受信に応答して第２の送信タイムインターバル中にネットワークノードへ、第３のトランスポートブロックを経て第１のプロトコルデータユニットの第１の冗長性バージョンを送信するのを前記装置に制御させるインストラクションを含み；及び
前記ユーザ装置により第１のデータ指示子の受信に応答して第２の送信タイムインターバル中にネットワークノードへ、第４のトランスポートブロックを経て第１のプロトコルデータユニットの第３インスタンスを送信するのを前記装置に制御させるインストラクションは、ユーザ装置により第１のデータ指示子の受信に応答して第２の送信タイムインターバル中にネットワークノードへ、第４のトランスポートブロックを経て第１のプロトコルデータユニットの第２の冗長性バージョンを送信するのを前記装置に制御させるインストラクションを含み、前記第１の冗長性バージョン及び第２の冗長性バージョンは、異なるものである；請求項１４に記載の装置。
【請求項１６】
前記第３のトランスポートブロックは、第１のプロトコルデータユニットの冗長性バージョンとしての第１のトランスポートブロックの再送信であり、前記冗長性バージョンは、ネットワークノードにより指示され、及び
前記第４のトランスポートブロックは、第１のトランスポートブロックの複写である、請求項１４又は１５に記載の装置。
【請求項１７】
ユーザ装置によりネットワークノードへ、ユーザ装置が送信のためのデータを有していないことを指示するバッファ状態レポートを送信するのを前記装置に制御させるインストラクションを更に含む、請求項１４から１６のいずれかに記載の装置。
【請求項１８】
ユーザ装置により前記第１及び第２の冗長性バージョンを選択するのを前記装置に行わせること；及び
ユーザ装置によりネットワークノードから、前記第１及び第２の冗長性バージョンを指示する制御シグナリングを受信するのを前記装置に行わせること；
の少なくとも１つを使用して、前記第１及び第２の冗長性バージョンを特定する、請求項１４から１７のいずれかに記載の装置。
【請求項１９】
第３のトランスポートブロックを経て第１のプロトコルデータユニットの第２インスタンスの少なくとも一部分、及び第４のトランスポートブロックを経て第１のプロトコルデータユニットの第３インスタンスの少なくとも一部分、の両方を送信するのを制御するために、共通の変調及びコード化スキームが使用される、請求項１４から１８のいずれかに記載の装置。
【請求項２０】
第３のトランスポートブロックを経て第１のプロトコルデータユニットの第２インスタンスの少なくとも一部分を送信するのを制御するために第１の変調及びコード化スキームが使用され、及び第４のトランスポートブロックを経て第１のプロトコルデータユニットの第３インスタンスの少なくとも一部分を送信するのを制御するために、第１の変調及びコード化スキームとは異なる第２の変調及びコード化スキームが使用される、請求項１４から１９のいずれかに記載の装置。
【請求項２１】
前記第１のプロトコルデータユニットの第２インスタンスの少なくとも一部分は、第１のプロトコルデータユニットの第２インスタンスが初期の又は非複写のプロトコルデータユニットであることを指示するプロトコルデータユニットタイプフィールドを含み；
前記第１のプロトコルデータユニットの第３インスタンスの少なくとも一部分は、第１のプロトコルデータユニットの第３インスタンスのペイロードが第１のプロトコルデータユニットの第２インスタンスのペイロードの複写であることを指示するプロトコルデータユニットタイプフィールドを含む；請求項１４から２０のいずれかに記載の装置。
【請求項２２】
ユーザ装置によりネットワークノードから、第１のプロトコルデータユニットの第２インスタンス及び第３インスタンスの両方ではなく、第１のプロトコルデータユニットの第２インスタンス及び第３インスタンスの一方のみに対するハイブリッドＡＲＱフィードバックを受信するのを前記装置に制御させるインストラクションを更に含む、請求項１４から２１のいずれかに記載の装置。
【請求項２３】
前記第１のプロトコルデータユニットは、複数のサービスデータユニットを備え、各サービスデータユニットは、プライオリティを有し、前記装置は、それが、第１のプロトコルデータユニットのサービスデータユニットの１つ以上を、それらサービスデータユニットのプライオリティに基づいて、第１のプロトコルデータユニットの第３インスタンスの少なくとも一部分に割り当てるようにさせるインストラクションを更に含む、請求項１４から２２のいずれかに記載の装置。
【請求項２４】
前記第１のプロトコルデータユニットは、複数のサービスデータユニット及び複数の制御要素を備え、各サービスデータユニット及び制御要素は、プライオリティを有し、前記装置は、それが、第１のプロトコルデータユニットのサービスデータユニット及び制御要素の少なくとも１つを、サービスデータユニットのプライオリティ及び制御要素のプライオリティに基づいて第１のプロトコルデータユニットの第３インスタンスの少なくとも一部分に割り当てるようにさせるインストラクションを更に含む、請求項１４から２３のいずれかに記載の装置。
【請求項２５】
ユーザ装置により第１の送信タイムインターバル中に空間的マルチプレクシングを経てワイヤレスネットワークのネットワークノードへ、第１のトランスポートブロックを経て第１のプロトコルデータユニットの第１インスタンスを及び第２のトランスポートブロックを経て第２のプロトコルデータユニットの第１インスタンスを送信するのを制御する手段；
第１のトランスポートブロックがネットワークノードにより受信されなかったことを指示する第１のトランスポートブロックに関連した第１のデータ指示子を受信するのを制御する手段；
第２のトランスポートブロックがネットワークノードにより受信されたことを指示する第２のトランスポートブロックに関連した第２のデータ指示子を受信するのを制御する手段；及び
ユーザ装置により第１のデータ指示子の受信に応答して第２の送信タイムインターバル中に空間的マルチプレクシングを経てネットワークノードへ、第３のトランスポートブロックを経て第１のプロトコルデータユニットの第２インスタンスの少なくとも一部分を及び第４のトランスポートブロックを経て第１のプロトコルデータユニットの第３インスタンスの少なくとも一部分を送信するのを制御する手段；
を備えた、装置。
【請求項２６】
コンピュータ読み取り可能なストレージ媒体を備え、そして少なくとも１つのデータ処理装置により実行されたときに、少なくとも１つのデータ処理装置が方法を遂行するようにさせるよう構成された実行可能なコードを記憶するコンピュータプログラム製品において、前記方法は、
ユーザ装置により第１の送信タイムインターバル中に空間的マルチプレクシングを経てワイヤレスネットワークのネットワークノードへ、第１のトランスポートブロックを経て第１のプロトコルデータユニットの第１インスタンスを及び第２のトランスポートブロックを経て第２のプロトコルデータユニットの第１インスタンスを送信するのを制御し；
第１のトランスポートブロックがネットワークノードにより受信されなかったことを指示する第１のトランスポートブロックに関連した第１のデータ指示子を受信するのを制御し；
第２のトランスポートブロックがネットワークノードにより受信されたことを示す第２のトランスポートブロックに関連した第２のデータ指示子を受信するのを制御し；及び
ユーザ装置により第１のデータ指示子の受信に応答して第２の送信タイムインターバル中に空間的マルチプレクシングを経てネットワークノードへ、第３のトランスポートブロックを経て第１のプロトコルデータユニットの第２インスタンスの少なくとも一部分を及び第４のトランスポートブロックを経て第１のプロトコルデータユニットの第３インスタンスの少なくとも一部分を送信するのを制御する；
ことを含むものである、コンピュータプログラム製品。
【請求項２７】
ネットワークノードによりワイヤレスネットワークのユーザ装置から空間的マルチプレクシングを経て第１の送信タイムインターバル中に、第１のトランスポートブロックを経て第１のプロトコルデータユニットの第１インスタンスの少なくとも一部分を及び第２のトランスポートブロックを経て第２のプロトコルデータユニットの第１インスタンスを受信するのを制御し；
第１のプロトコルデータユニットの第１インスタンスを不首尾にデコードし；
第２のプロトコルデータユニットの第１インスタンスを首尾良くデコードし；
第１のトランスポートブロックがネットワークノードにより首尾良くデコードされなかったことを指示する第１のトランスポートブロックに関連した第１のデータ指示子を送信するのを制御し；
第２のトランスポートブロックがネットワークノードにより首尾良くデコードされたことを指示する第２のトランスポートブロックに関連した第２のデータ指示子を送信するのを制御し；及び
ネットワークノードによりユーザ装置から空間的マルチプレクシングを経てネットワークノードへ第１のデータ指示子の送信に応答して第２の送信タイムインターバル中に、第３のトランスポートブロックを経て第１のプロトコルデータユニットの第２インスタンスの少なくとも一部分を及び第４のトランスポートブロックを経て第１のプロトコルデータユニットの第３インスタンスの少なくとも一部分を受信するのを制御する；
ことを含む方法。
【請求項２８】
前記第１のプロトコルデータユニットの第２インスタンスの少なくとも一部分は、その第１のプロトコルデータユニットの第１の冗長性バージョンを含み、及び
前記第１のプロトコルデータユニットの第３インスタンスの少なくとも一部分は、その第１のプロトコルデータユニットの第２の冗長性バージョンを含む、
請求項２７に記載の方法。
【請求項２９】
前記第１のプロトコルデータユニットの第２インスタンスの少なくとも一部分は、その第１のプロトコルデータユニットの第２インスタンスが初期の又は非複写のプロトコルデータユニットであることを指示するプロトコルデータユニットタイプフィールドを含み、及び
前記第１のプロトコルデータユニットの第３インスタンスの少なくとも一部分は、その第１のプロトコルデータユニットの第３インスタンスのペイロードが第１のプロトコルデータユニットの第２インスタンスのペイロードの複写であることを指示するプロトコルデータユニットタイプフィールドを含む、
請求項２７又は２８に記載の方法。
【請求項３０】
請求項２７から２９のいずれかに記載の方法を実施する手段を備えた装置。
【請求項３１】
コンピュータで実行されたとき請求項２７から２９のいずれかに記載のステップを遂行するソフトウェアコード部分を含むコンピュータ用のコンピュータプログラム製品。
【請求項３２】
少なくとも１つのプロセッサ、及びコンピュータインストラクションを含む少なくとも１つのメモリを備えた装置において、それらコンピュータインストラクションは、少なくとも１つのプロセッサにより実行されたときに、装置が、
ネットワークノードによりワイヤレスネットワークのユーザ装置から空間的マルチプレクシングを経て第１の送信タイムインターバル中に、第１のトランスポートブロックを経て第１のプロトコルデータユニットの第１インスタンスの少なくとも一部分を及び第２のトランスポートブロックを経て第２のプロトコルデータユニットの第１インスタンスを受信するのを制御し；
第１のプロトコルデータユニットの第１インスタンスを不首尾にデコードし；
第２のプロトコルデータユニットの第１インスタンスを首尾良くデコードし；
第１のトランスポートブロックがネットワークノードにより首尾良くデコードされなかったことを指示する第１のトランスポートブロックに関連した第１のデータ指示子を送信するのを制御し；
第２のトランスポートブロックがネットワークノードにより首尾良くデコードされたことを指示する第２のトランスポートブロックに関連した第２のデータ指示子を送信するのを制御し；及び
ネットワークノードによりユーザ装置から空間的マルチプレクシングを経てネットワークノードへ第１のデータ指示子の送信に応答して第２の送信タイムインターバル中に、第３のトランスポートブロックを経て第１のプロトコルデータユニットの第２インスタンスの少なくとも一部分を及び第４のトランスポートブロックを経て第１のプロトコルデータユニットの第３インスタンスの少なくとも一部分を受信するのを制御する；
ようにさせるものである、装置。
【請求項３３】
前記第１のプロトコルデータユニットの第２インスタンスの少なくとも一部分は、その第１のプロトコルデータユニットの第１の冗長性バージョンを含み、及び
前記第１のプロトコルデータユニットの第３インスタンスの少なくとも一部分は、その第１のプロトコルデータユニットの第２の冗長性バージョンを含む、
請求項３２に記載の装置。
【請求項３４】
前記第１のプロトコルデータユニットの第２インスタンスの少なくとも一部分は、その第１のプロトコルデータユニットの第２インスタンスが初期の又は非複写のプロトコルデータユニットであることを指示するプロトコルデータユニットタイプフィールドを含み、及び
前記第１のプロトコルデータユニットの第３インスタンスの少なくとも一部分は、その第１のプロトコルデータユニットの第３インスタンスのペイロードが第１のプロトコルデータユニットの第２インスタンスのペイロードの複写であることを指示するプロトコルデータユニットタイプフィールドを含む、
請求項３２又は３３に記載の装置。
【請求項３５】
ネットワークノードによりワイヤレスネットワークのユーザ装置から空間的マルチプレクシングを経て第１の送信タイムインターバル中に、第１のトランスポートブロックを経て第１のプロトコルデータユニットの第１インスタンスの少なくとも一部分を及び第２のトランスポートブロックを経て第２のプロトコルデータユニットの第１インスタンスを受信するのを制御する手段；
第１のプロトコルデータユニットの第１インスタンスを不首尾にデコードする手段；
第２のプロトコルデータユニットの第１インスタンスを首尾良くデコードする手段；
第１のトランスポートブロックがネットワークノードにより首尾良くデコードされなかったことを指示する第１のトランスポートブロックに関連した第１のデータ指示子を送信するのを制御する手段；
第２のトランスポートブロックがネットワークノードにより首尾良くデコードされたことを指示する第２のトランスポートブロックに関連した第２のデータ指示子を送信するのを制御する手段；及び
ネットワークノードによりユーザ装置から空間的マルチプレクシングを経て第１のデータ指示子の送信に応答して第２の送信タイムインターバル中に、第３のトランスポートブロックを経て第１のプロトコルデータユニットの第２インスタンスの少なくとも一部分を及び第４のトランスポートブロックを経て第１のプロトコルデータユニットの第３インスタンスの少なくとも一部分を受信するのを制御する手段；
を備えた装置。
【請求項３６】
コンピュータ読み取り可能なストレージ媒体を備え、少なくとも１つのデータ処理装置により実行されたとき、少なくとも１つのデータ処理装置が方法を遂行するようにさせるよう構成された実行可能なコードを記憶するコンピュータプログラム製品において、前記方法は、
ネットワークノードによりワイヤレスネットワークのユーザ装置から空間的マルチプレクシングを経て第１の送信タイムインターバル中に、第１のトランスポートブロックを経て第１のプロトコルデータユニットの第１インスタンスの少なくとも一部分及び第２のトランスポートブロックを経て第２のプロトコルデータユニットの第１インスタンスを受信するのを制御し；
第１のプロトコルデータユニットの第１インスタンスを不首尾にデコードし；
第２のプロトコルデータユニットの第１インスタンスを首尾良くデコードし；
第１のトランスポートブロックがネットワークノードにより首尾良くデコードされなかったことを指示する第１のトランスポートブロックに関連した第１のデータ指示子を送信するのを制御し；
第２のトランスポートブロックがネットワークノードにより首尾良くデコードされたことを指示する第２のトランスポートブロックに関連した第２のデータ指示子を送信するのを制御し；及び
ネットワークノードによりユーザ装置から空間的マルチプレクシングを経て第１のデータ指示子の送信に応答して第２の送信タイムインターバル中に、第３のトランスポートブロックを経て第１のプロトコルデータユニットの第２インスタンスの少なくとも一部分及び第４のトランスポートブロックを経て第１のプロトコルデータユニットの第３インスタンスの少なくとも一部分を受信するのを制御する；
ことを含むものである、コンピュータプログラム製品。
【発明の詳細な説明】
【技術分野】
【０００１】
本発明は、通信に関する。
【背景技術】
【０００２】
通信システムは、固定又は移動通信デバイスのような２つ以上のノード又はデバイス間で通信を行えるようにするファシリティである。信号は、ワイヤード又はワイヤレスキャリアで搬送することができる。
【０００３】
セルラー通信システムの一例は、第３世代パートナーシッププロジェクト（３ＧＰＰ）により規格化されているアーキテクチャーである。この分野の最近の開発は、ユニバーサル移動テレコミュニケーションズシステム（ＵＭＴＳ）無線アクセステクノロジーの長期進化（ＬＴＥ）としばしば称される。Ｅ−ＵＴＲＡ（進化型ＵＭＴＳ地上無線アクセス）は、移動ネットワークのための３ＧＰＰの長期進化（ＬＴＥ）アップグレード経路のエアインターフェイスである。ＬＴＥでは、改善型ノードＡＰ（ｅＮＢ）と称されるベースステーション又はアクセスポイント（ＡＰ）は、カバレージエリア又はセル内のワイヤレスアクセスを与える。ＬＴＥでは、移動デバイス又は移動ステーションは、ユーザ装置（ＵＥ）と称される。ＬＴＥは、多数の改善又は開発を含む。
【０００４】
ワイヤレスキャリアに直面したグローバル帯域巾不足は、例えば、将来のブロードバンドセルラー通信ネットワークに対して、充分に活用されていないミリメータ波（ｍｍ波）の周波数スペクトルを考慮する動機となった。ｍｍ波（又は著しく高い周波数）は、例えば、３０ないし３００ギガヘルツ（ＧＨｚ）の周波数レンジを含む。この帯域の高周波は、例えば、波長が１０ないし１ｍｍであり、ミリメータ帯域又はミリメータ波という名前が与えられる。ワイヤレスデータの量は、おそらく、今後何年も顕著に増加し続けるであろう。より多くのスペクトルを得、セルサイズを小型化し、そして改良型テクノロジーを使用して、より多くのビット／ｓ／Ｈｚを可能にすることを含めて、この課題に対処する試みに種々の技術が利用されている。より多くのスペクトルを得るのに使用される１つの要素は、６ＧＨｚより上の、より高い周波数へ移動することである。第５世代のワイヤレスシステム（５Ｇ）に対して、ｍｍ波高周波スペクトルを使用するセルラー無線装置開発のためにアクセスアーキテクチャーが提案されている。又、ｃｍ波高周波スペクトル（３〜３０ＧＨｚ）のような他の規範的スペクトルも使用できる。
【発明の概要】
【０００５】
規範的な具現化によれば、方法は、ユーザ装置により第１の送信タイムインターバル中に空間的マルチプレクシングを経てワイヤレスネットワークのネットワークノードへ、第１のトランスポートブロックを経て第１のプロトコルデータユニットの第１インスタンスを及び第２のトランスポートブロックを経て第２のプロトコルデータユニットの第１インスタンスを送信するのを制御し；第１のトランスポートブロックがネットワークノードにより受信されなかったことを指示する第１のトランスポートブロックに関連した第１のデータ指示子を受信するのを制御し；第２のトランスポートブロックがネットワークノードにより受信されたことを指示する第２のトランスポートブロックに関連した第２のデータ指示子を受信するのを制御し；及びユーザ装置により第１のデータ指示子の受信に応答して第２の送信タイムインターバル中に空間的マルチプレクシングを経てネットワークノードへ、第３のトランスポートブロックを経て第１のプロトコルデータユニットの第２インスタンスの少なくとも一部分を及び第４のトランスポートブロックを経て第１のプロトコルデータユニットの第３インスタンスの少なくとも一部分を送信するのを制御する；ことを含む。
【０００６】
規範的具現化によれば、装置は、少なくとも１つのプロセッサ、及びコンピュータインストラクションを含む少なくとも１つのメモリを備え、それらコンピュータインストラクションは、少なくとも１つのプロセッサにより実行されたときに、装置が、ユーザ装置により第１の送信タイムインターバル中に空間的マルチプレクシングを経てワイヤレスネットワークのネットワークノードへ、第１のトランスポートブロックを経て第１のプロトコルデータユニットの第１インスタンスを及び第２のトランスポートブロックを経て第２のプロトコルデータユニットの第１インスタンスを送信するのを制御し；第１のトランスポートブロックがネットワークノードにより受信されなかったことを指示する第１のトランスポートブロックに関連した第１のデータ指示子を受信するのを制御し；第２のトランスポートブロックがネットワークノードにより受信されたことを指示する第２のトランスポートブロックに関連した第２のデータ指示子を受信するのを制御し；及びユーザ装置により第１のデータ指示子の受信に応答して第２の送信タイムインターバル中に空間的マルチプレクシングを経てネットワークノードへ、第３のトランスポートブロックを経て第１のプロトコルデータユニットの第２インスタンスの少なくとも一部分を及び第４のトランスポートブロックを経て第１のプロトコルデータユニットの第３インスタンスの少なくとも一部分を送信するのを制御する；ようにさせるものである。
【０００７】
規範的具現化によれば、装置は、ユーザ装置により第１の送信タイムインターバル中に空間的マルチプレクシングを経てワイヤレスネットワークのネットワークノードへ、第１のトランスポートブロックを経て第１のプロトコルデータユニットの第１インスタンスを及び第２のトランスポートブロックを経て第２のプロトコルデータユニットの第１インスタンスを送信するのを制御する手段；第１のトランスポートブロックがネットワークノードにより受信されなかったことを指示する第１のトランスポートブロックに関連した第１のデータ指示子を受信するのを制御する手段；第２のトランスポートブロックがネットワークノードにより受信されたことを指示する第２のトランスポートブロックに関連した第２のデータ指示子を受信するのを制御する手段；及びユーザ装置により第１のデータ指示子の受信に応答して第２の送信タイムインターバル中に空間的マルチプレクシングを経てネットワークノードへ、第３のトランスポートブロックを経て第１のプロトコルデータユニットの第２インスタンスの少なくとも一部分を及び第４のトランスポートブロックを経て第１のプロトコルデータユニットの第３インスタンスの少なくとも一部分を送信するのを制御する手段；を備えている。
【０００８】
規範的具現化によれば、コンピュータプログラム製品は、コンピュータ読み取り可能なストレージ媒体を備え、そして少なくとも１つのデータ処理装置により実行されたとき、少なくとも１つのデータ処理装置が方法を遂行するようにさせるよう構成された実行可能なコードを記憶し、前記方法は、ユーザ装置により第１の送信タイムインターバル中に空間的マルチプレクシングを経てワイヤレスネットワークのネットワークノードへ、第１のトランスポートブロックを経て第１のプロトコルデータユニットの第１インスタンスを及び第２のトランスポートブロックを経て第２のプロトコルデータユニットの第１インスタンスを送信するのを制御し；第１のトランスポートブロックがネットワークノードにより受信されなかったことを指示する第１のトランスポートブロックに関連した第１のデータ指示子を受信するのを制御し；第２のトランスポートブロックがネットワークノードにより受信されたことを指示する第２のトランスポートブロックに関連した第２のデータ指示子を受信するのを制御し；及びユーザ装置により第１のデータ指示子の受信に応答して第２の送信タイムインターバル中に空間的マルチプレクシングを経てネットワークノードへ、第３のトランスポートブロックを経て第１のプロトコルデータユニットの第２インスタンスの少なくとも一部分を及び第４のトランスポートブロックを経て第１のプロトコルデータユニットの第３インスタンスの少なくとも一部分を送信するのを制御する；ことを含む。
【０００９】
別の規範的な具現化によれば、方法は、ネットワークノードによりワイヤレスネットワークのユーザ装置から空間的マルチプレクシングを経て第１の送信タイムインターバル中に、第１のトランスポートブロックを経て第１のプロトコルデータユニットの第１インスタンスの少なくとも一部分及び第２のトランスポートブロックを経て第２のプロトコルデータユニットの第１インスタンスを受信するのを制御し；第１のプロトコルデータユニットの第１インスタンスを不首尾にデコードし；第２のプロトコルデータユニットの第１インスタンスを首尾良くデコードし；第１のトランスポートブロックがネットワークノードにより首尾良くデコードされなかったことを指示する第１のトランスポートブロックに関連した第１のデータ指示子を送信するのを制御し；第２のトランスポートブロックがネットワークノードにより首尾良くデコードされたことを指示する第２のトランスポートブロックに関連した第２のデータ指示子を送信するのを制御し；及びネットワークノードによりユーザ装置から空間的マルチプレクシングを経て第１のデータ指示子の送信に応答して第２の送信タイムインターバル中に、第３のトランスポートブロックを経て第１のプロトコルデータユニットの第２インスタンスの少なくとも一部分及び第４のトランスポートブロックを経て第１のプロトコルデータユニットの第３インスタンスの少なくとも一部分を受信するのを制御する；ことを含む。
【００１０】
規範的具現化によれば、装置は、少なくとも１つのプロセッサ、及びコンピュータインストラクションを含む少なくとも１つのメモリを備え、それらコンピュータインストラクションは、少なくとも１つのプロセッサにより実行されたときに、装置が、ネットワークノードによりワイヤレスネットワークのユーザ装置から空間的マルチプレクシングを経て第１の送信タイムインターバル中に、第１のトランスポートブロックを経て第１のプロトコルデータユニットの第１インスタンスの少なくとも一部分及び第２のトランスポートブロックを経て第２のプロトコルデータユニットの第１インスタンスを受信するのを制御し；第１のプロトコルデータユニットの第１インスタンスを不首尾にデコードし；第２のプロトコルデータユニットの第１インスタンスを首尾良くデコードし；第１のトランスポートブロックがネットワークノードにより首尾良くデコードされなかったことを指示する第１のトランスポートブロックに関連した第１のデータ指示子を送信するのを制御し；第２のトランスポートブロックがネットワークノードにより首尾良くデコードされたことを指示する第２のトランスポートブロックに関連した第２のデータ指示子を送信するのを制御し；及びネットワークノードによりユーザ装置から空間的マルチプレクシングを経て第１のデータ指示子の送信に応答して第２の送信タイムインターバル中に、第３のトランスポートブロックを経て第１のプロトコルデータユニットの第２インスタンスの少なくとも一部分及び第４のトランスポートブロックを経て第１のプロトコルデータユニットの第３インスタンスの少なくとも一部分を受信するのを制御する；ようにさせるものである。
【００１１】
別の規範的具現化によれば、装置は、ネットワークノードによりワイヤレスネットワークのユーザ装置から空間的マルチプレクシングを経て第１の送信タイムインターバル中に、第１のトランスポートブロックを経て第１のプロトコルデータユニットの第１インスタンスの少なくとも一部分及び第２のトランスポートブロックを経て第２のプロトコルデータユニットの第１インスタンスを受信するのを制御する手段；第１のプロトコルデータユニットの第１インスタンスを不首尾にデコードする手段；第２のプロトコルデータユニットの第１インスタンスを首尾良くデコードする手段；第１のトランスポートブロックがネットワークノードにより首尾良くデコードされなかったことを指示する第１のトランスポートブロックに関連した第１のデータ指示子を送信するのを制御する手段；第２のトランスポートブロックがネットワークノードにより首尾良くデコードされたことを指示する第２のトランスポートブロックに関連した第２のデータ指示子を送信するのを制御する手段；及びネットワークノードによりユーザ装置から空間的マルチプレクシングを経て第１のデータ指示子の送信に応答して第２の送信タイムインターバル中に、第３のトランスポートブロックを経て第１のプロトコルデータユニットの第２インスタンスの少なくとも一部分及び第４のトランスポートブロックを経て第１のプロトコルデータユニットの第３インスタンスの少なくとも一部分を受信するのを制御する手段；を備えている。
【００１２】
コンピュータプログラム製品は、コンピュータ読み取り可能なストレージ媒体を備え、そして少なくとも１つのデータ処理装置により実行されたとき、少なくとも１つのデータ処理装置が方法を遂行するようにさせるよう構成された実行可能なコードを記憶し、前記方法は、ネットワークノードによりワイヤレスネットワークのユーザ装置から空間的マルチプレクシングを経て第１の送信タイムインターバル中に、第１のトランスポートブロックを経て第１のプロトコルデータユニットの第１インスタンスの少なくとも一部分及び第２のトランスポートブロックを経て第２のプロトコルデータユニットの第１インスタンスを受信するのを制御し；第１のプロトコルデータユニットの第１インスタンスを不首尾にデコードし；第２のプロトコルデータユニットの第１インスタンスを首尾良くデコードし；第１のトランスポートブロックがネットワークノードにより首尾良くデコードされなかったことを指示する第１のトランスポートブロックに関連した第１のデータ指示子を送信するのを制御し；第２のトランスポートブロックがネットワークノードにより首尾良くデコードされたことを指示する第２のトランスポートブロックに関連した第２のデータ指示子を送信するのを制御し；及びネットワークノードによりユーザ装置から空間的マルチプレクシングを経て第１のデータ指示子の送信に応答して第２の送信タイムインターバル中に、第３のトランスポートブロックを経て第１のプロトコルデータユニットの第２インスタンスの少なくとも一部分及び第４のトランスポートブロックを経て第１のプロトコルデータユニットの第３インスタンスの少なくとも一部分を受信するのを制御する；ことを含むものである。
【００１３】
１つ以上の具現化例の細部を添付図面に示して、以下に詳細に説明する。この説明及び図面並びに特許請求の範囲から他の特徴が明らかとなろう。
【図面の簡単な説明】
【００１４】
【図１】規範的実施形態によるワイヤレスネットワークのブロック図である。
【図２】規範的実施形態によるワイヤレストランシーバの図である。
【図３】規範的実施形態によるワイヤレスシステムのオペレーションを示す図である。
【図４】別の規範的実施形態によるワイヤレスシステムのオペレーションを示す図である。
【図５】更に別の規範的実施形態によるＭＡＣ  ＰＤＵフォーマットを示す図である。
【図６】規範的実施形態によるユーザ装置のオペレーションを示すフローチャートである。
【図７】規範的実施形態によるネットワークノードのオペレーションを示すフローチャートである。
【図８】規範的実施形態によるワイヤレスステーション（例えば、ベースステーション／アクセスポイント又は移動ステーション／ユーザ装置）のブロック図である。
【発明を実施するための形態】
【００１５】
図１は、規範的実施形態によるワイヤレスネットワーク１３０のブロック図である。図１のワイヤレスネットワーク１３０において、移動ステーション（ＭＳ）又はユーザ装置（ＵＥ）とも称されるユーザデバイス１３１、１３２、１３３及び１３５は、ベースステーション（ＢＳ）、改善型ノードＢ（ｅＮＢ）又はネットワークノードとも称されるアクセスポイント（ＡＰ）に接続される（及びそれと通信する）。又、アクセスポイント（ＡＰ）、ベースステーション（ＢＳ）又は（ｅ）ノードＢ（ｅＮＢ）の機能の少なくとも一部分は、リモート無線ヘッドのようなトランシーバに作動的に結合されるノード、サーバー又はホストにより実施されてもよい。ＡＰ１３４は、ユーザデバイス１３１、１３２、１３３及び１３５を含めて、セル１３６内にワイヤレスカバレージを与える。４つのユーザデバイスのみがＡＰ１３４に接続され又は取り付けられて示されているが、いかなる数のユーザ装置が設けられてもよい。又、ＡＰ１３４は、Ｓ１インターフェイス１５１を経てコアネットワーク１５０にも接続される。これは、ワイヤレスネットワークの単なる一例に過ぎず、他のものが使用されてもよい。
【００１６】
ユーザデバイス（ユーザターミナル、ユーザ装置(ＵＥ)）とは、加入者識別モジュール（ＳＩＭ）と共に又はそれを伴わずに動作するワイヤレス移動通信デバイスを含むポータブルコンピューティングデバイスを指し、次のタイプのデバイスを含むが、これに限定されない。例えば、移動ステーション、移動電話、セルラーホン、スマートホン、パーソナルデジタルアシスタント（ＰＤＡ）、ハンドセット、ワイヤレスモデムを使用するデバイス（アラーム又は測定デバイス、等）ラップトップ及び／又はタッチスクリーンコンピュータ、タブレット、ファブレット、ゲームコンソール、ノートブック、及びマルチメディアデバイス。又、ユーザデバイスは、ほぼ排他的なアップリンク専用デバイスでもよく、その一例は、ネットワークへ画像又はビデオクリップをロードするカメラ又はビデオカメラであることも理解されたい。
【００１７】
ＬＴＥ（一例として）において、コアネットワーク１５０は、移動管理エンティティ（ＭＭＥ）を含む進化型パケットコア（ＥＰＣ）と称され、ＢＳ間のユーザデバイスの移動／ハンドオーバー、ＢＳとパケットデータネットワーク又はインターネットとの間でデータ及び制御信号を転送する１つ以上のゲートウェイ、及び他の制御機能又はブロックを取り扱うか又は支援する。
【００１８】
ＬＴＥ、ＬＴＥ−Ａ、５Ｇ、ｃｍ波、及び／又はｍｍ波帯域ネットワーク、或いは他のワイヤレスネットワークのような種々様々なワイヤレステクノロジー又はワイヤレスネットワークに種々の規範的実施形態を適用できる。又、ＬＴＥ、５Ｇ、ｃｍ波及びｍｍ波帯域ネットワークは、例示として与えられるに過ぎず、いずれのワイヤレステクノロジー／ワイヤレスネットワークにも種々の規範的実施形態を適用できる。
【００１９】
図２は、規範的実施形態によるワイヤレストランシーバの図である。ワイヤレストランシーバ２００は、例えば、ベースステーション（ＢＳ）、例えば、アクセスポイント（ＡＰ）又はｅＮＢ、或いは他のワイヤレスデバイスに使用される。ワイヤレストランシーバ２００は、送信路２１０及び受信路２１２を備えている。
【００２０】
送信路２１０において、デジタル／アナログコンバータ（Ｄ−Ａ）２２０は、１つ以上のアプリケーションからデジタル信号を受信し、そしてそのデジタル信号をアナログ信号に変換する。アップミックスブロック２２２は、アナログ信号をＲＦ（例えば、高周波）信号にアップ変換する。次いで、電力増幅器（ＰＡ）２２４は、アップ変換された信号を増幅する。規範的実施形態によれば、電力増幅器は、アンテナ素子に又はアンテナ素子と一体化される。次いで、増幅された信号は、送信／受信（Ｔ／Ｒ）スイッチ（又は送信周波数を変更するための周波数分割デュープレックス用ダイプレクサ２２６）を通過する。次いで、Ｔ／Ｒスイッチ２２６からの信号出力は、アンテナアレー２２８の１つ以上のアンテナ、例えば、アンテナ２２８Ａ、２２８Ｂ及び／又は２２８Ｃへ出力される。アンテナアレー２２８の１つ以上のアンテナにより送信される前に、１組のビーム重みＶ１、Ｖ２、・・・又はＶＱが信号と混合されて、送信のための信号に利得及び位相を適用する。例えば、利得及び位相Ｖ１、Ｖ２、・・・又はＶＱがＴ／Ｒスイッチ２２６からの信号出力に適用されて、各アンテナにより送信される信号をスケーリングし（例えば、信号は、アンテナ１  ２２８Ａにより送信される前にＶ１が乗算され、信号は、アンテナ２  ２２８Ｂにより送信される前にＶ２が乗算され、等々）、ここで、位相は、例えば、指向性ビームの操向のために全アンテナアレーにより送信されるビームを操向又は指向させるのに使用される。従って、ビーム重みＶ１、Ｖ２、・・・又はＶＱ（例えば、各ビーム重みは利得及び／又は位相を含む）は、特定ビームにおいて信号を送信するために信号の送信時又は送信中に適用されるときは１組の送信ビーム成形ビーム重みであり、且つ特定ビームにおいて信号を受信するために適用されるときには１組の受信ビーム成形ビーム重みである。
【００２１】
ワイヤレストランシーバ２００の受信路２１２において、信号は、アンテナアレー２２８を経て受信されて、Ｔ／Ｒスイッチ２２６へ入力され、次いで、低ノイズ増幅器（ＬＮＡ）２３０へ入力されて、受信した信号が増幅される。規範的実施形態によれば、ＬＮＡは、アンテナ素子と共通配置される。ＬＮＡ２３０により出力された増幅信号は、次いで、ＲＦ対基本帯域変換ブロック２３２へ入力され、そこで、増幅されたＲＦ信号が基本帯域へダウン変換される。アナログ／デジタル（Ａ−Ｄ）コンバータ２３４は、次いで、変換ブロック２３２により出力されたアナログ基本帯域信号を、１つ以上の上位レイヤ／アプリケーションレイヤによる処理のためにデジタル信号へ変換する。
【００２２】
種々の規範的実施形態は、例えば、大量ＭＩＭＯ（多入力、多出力）をサポートし且つ高いキャリア周波数、例えば、ここに示す規範的実施形態では、ｃｍ波周波数（例えば、３ＧＨｚ以上）又はｍｍ波周波数で動作するように最適化された５Ｇ無線アクセスシステム（又は他のシステム）に関連している。これら例示的システムは、典型的に、経路ロスの増加を補償するため高いアンテナ利得が必要であり、そして増え続けるワイヤレストラフィックに応じるため高い容量及び高いスペクトル効率が必要であることを特徴とする。規範的実施形態によれば、高いキャリア周波数での減衰の増加は、例えば、大規模な（多素子の）アンテナアレーを導入し、そしてそれに対応して、アクセスポイント（ＡＰ）／ベースステーション（ＢＳ）及び／又はユーザデバイスでのビーム成形を経てアンテナ利得を与えることにより補償することができる。スペクトル効率は、典型的に、システムがサポートできる空間的ストリームの数、ひいては、ＡＰ／ＢＳにおけるアンテナポートの数と共に改善する。規範的実施形態によれば、空間的マルチプレクシングは、多数の送信アンテナの各々から、独立した別々のエンコードデータ信号、いわゆるストリームを送信するためのＭＩＭＯワイヤレス通信の送信技術を含む。
【００２３】
規範的実施形態によれば、送信前に情報ビットにパリティビットを追加することにより冗長性が導入されるように、ある形態の前方誤り訂正（ＦＥＣ）を使用して通信を改善する。自動リピート要求（ＡＲＱ）も使用され、ここでは、受信したパケットにエラーがあるかどうか検出するために繰り返し冗長チェック（ＣＲＣ）が使用される。エラーが検出されない場合には、受信者は、確認（ＡＣＫ）を送信し、一方、エラーが検出された場合には、受信者は、否定確認（ＮＡＫ）を送信する。更に、あるワイヤレス通信デバイスは、ＦＥＣ及びＡＲＱの観点を合成するハイブリッドＡＲＱ（ＨＡＲＱ）を使用し、ここでは、例えば、並列に動作する多数のＨＡＲＱプロセスを使用して、各ＨＡＲＱプロセスに対してトランスポートブロック（ＴＢ）を送信しながら、別のＨＡＲＱプロセスに対してＡＣＫを待機する。ＨＡＲＱ動作は、受信エラーのパケットを破棄し、送信者へＮＡＫを送信することによりそのようなパケットの再送信を要求する。
【００２４】
又、受信者が受信エラーのプロトコルデータユニット（ＰＤＵ）を記憶できるソフト合成、チェイス合成又は増分的冗長性（或いは他のデータ合成技術）も使用できる。受信者は、合成されているプロトコルデータユニットが同じ情報ビットを表わす（例えば、異なるトランスポートブロックを経て送信される各合成プロトコルデータユニットのパリティビットが異なる）限り、その記憶されたプロトコルデータユニットを、プロトコルデータユニットの１つ以上の再送信と合成することができる。又、増分的冗長性では、送信者は、異なるパリティビット（又は異なる数のパリティビット）を除いて同じ情報ビットを含むパケット／プロトコルデータユニットの異なる冗長性バージョン（ＲＶ）を送信することができる。増分的冗長性では、各冗長性バージョンは、異なる情報、即ちオリジナルデータビットから発生されたコードビットの異なるセットを含む。各異なるセットは、ＲＶ０、ＲＶ１、ＲＶ２、ＲＶ３のような冗長性バージョン（ＲＶ）と称される。チェイス合成では、送信及び再送信が同じ情報を有し、データ及びパリティビットは、同じである。従って、例えば、チェイス合成では、冗長性バージョン０（ＲＶ０）がデータのオリジナル送信及びその後の再送信において送信される。
【００２５】
各異なるＲＶは、異なるトランスポートブロック（ＴＢ）を経て送信される。プロトコルデータユニットの異なる冗長性バージョンは、冗長性バージョン０（ＲＶ０）、ＲＶ１、ＲＶ２、ＲＶ３、等と称される。例えば、各冗長性バージョンがコードビットの異なるセットを含む規範的実施形態によれば、プロトコルデータユニット又はトランスポートブロック（ＴＢ）の初期送信は、冗長性バージョン０（ＲＶ０）として送信され、一方、プロトコルデータユニット又はＴＢのその後の再送信は、異なるＲＶ、例えば、ＲＶ１、ＲＶ２、ＲＶ３として送信される。トランスポートブロック（ＴＢ）は、情報ビット及びパリティビットの両方を含むエンコードプロトコルデータユニットを包含する。例えば、ＭＡＣＰＤＵ（メディアアクセスコントロールプロトコルデータユニット）は、トランスポートブロック（ＴＢ）としてエンコードされ（情報ビット及びパリティビットの両方を含む）、そしてＰＤＵのＲＶ０として送信される。ＰＤＵの異なる冗長性バージョン（例えば、ＲＶ１、ＲＶ２、ＲＶ３）は、再送信として送られる。トランスポートブロック又はＰＤＵは、最初はコード化されず、ＣＲＣ（繰り返し冗長チェック）が付加された後に、パリティビットのコード化／追加が行われる。従って、この動作の後に、トランスポートブロックは、コード化トランスポートブロックとなる。
【００２６】
規範的実施形態によれば、ユーザデバイスからＡＰへのアップリンク送信は、ユーザデバイスがダウンリンク制御チャンネルを経てアップリンク許可(grant)を受信することによりトリガーされる。規範的実施形態では、許可は、例えば、新規な送信のための許可又は再送信のための許可のいずれかを含む。ユーザデバイスへ送信されるスケジューリング情報に含まれる新規なデータ指示子（ＮＤＩ）のようなデータ指示子は、ＡＰが新規送信（新規データ）を要求するか、又は以前に送信されたデータの再送信を要求するかを指示する。例えば、ＡＰは、新規データ（例えば、新規ＰＤＵ）の送信をユーザデバイスに要求するためにＮＤＩをトグルし（その状態を変更し）、一方、ＡＰは、ＰＤＵの再送信をユーザデバイスに要求するためにＮＤＩを同じ状態に保持する（ＮＤＩをトグルしない）。ＡＰは、（例えば、チェイス合成又は増分的冗長性又は他のデータ合成技術を使用して）最初に送信されたＰＤＵ（例えば、ＡＰのＨＡＲＱバッファに記憶された）を、再送信されたＰＤＵと合成し、合成ＰＤＵをデコードできる見込みを改善する。例えば、最初に送信されたＰＤＵ及び再送信されたＰＤＵは、ＰＤＵの異なる冗長性バージョン（例えば、同じ情報ビットから発生されたコードビットの異なるセット）である。
【００２７】
規範的実施形態によれば、メディアアクセスコントロール（ＭＡＣ）レイヤ（又はユーザデバイス及びＡＰにおけるＭＡＣエンティティ）は、ワイヤレス無線インターフェイスを経て可変サイズのトランスポートブロック（ＴＢ）の形態でデータを送信する。ＭＡＣＰＤＵ（例えば、ＭＡＣヘッダ及びペイロードを含む）は、（情報ビット及びパリティビットを含むように）エンコードされ、次いで、ＴＢを経て送信される。エンコードされたＰＤＵは、ＰＤＵの複数の冗長性バージョン（ＲＶ）の１つとしてＴＢを経て送信され、例えば、ＲＶの各々においてコード化ビットの異なるセットが与えられる。
【００２８】
空間的マルチプレクシングが存在しない（例えば、１つの空間的レイヤだけの）場合には、サブフレームを送信する期間である１つの送信タイムインターバル（ＴＴＩ）中に、無線インターフェイスを経てユーザデバイスへ又はユーザデバイスから１つのＴＢのみが送信される。しかしながら、ＭＩＭＯ又は空間的マルチプレクシングが遂行される（多数の空間的レイヤの）ときには、ＴＴＩごとに無線インターフェイスを経て多数のＴＢが送信される。例えば、２つのアンテナ（又は２つの空間的レイヤ）では、２つのＴＢがＴＴＩの間に送信され、例えば、空間的レイヤごとに１つのＴＢが送信される（又は別の例として、ＴＴＩごとに各アンテナにより１つのＴＢが送信される）。同様に、４つのアンテナ／４つの空間的レイヤではＴＴＩごとに４つのＴＢが送信され、そして８つのアンテナ／８つの空間的レイヤではＴＴＩごとに８つのＴＢが送信され、等々である。従って、ここに示す規範的実施形態によれば、１つのＴＴＩの間に空間的レイヤごとに（又はアンテナごとに）無線／ワイヤレスインターフェイスを経て１つのＴＢが送信される。又、ワイヤレスシステムは、空間的レイヤより少数のＴＢを使用（１つのＴＴＩの間に送信／受信）してもよい。
【００２９】
規範的実施形態によれば、ＴＴＩごとに２つのＴＢが送信されるとき、ＡＰは、各ＴＢに与えられるＰＤＵをデコードし、次いで、例えば、新規な送信を要求するか（例えば、ＡＰが対応ＰＤＵをデコードすることができた場合）又は再送信を要求する（例えば、ＡＰが対応ＴＢにおいてＰＤＵを首尾良くでコードすることができなかった場合）ために、各ＴＢに対してＮＤＩ（又はデータ指示子）を与えるように試みる。
【００３０】
ここに示す１つの例では、ワイヤレスシステムは、空間的マルチプレクシングを遂行しそして各ＴＴＩの間に２つのＴＢを送信するのを許す。そのような規範的システムでは、ユーザデバイスは、第１のＴＢ及び第２のＴＢを第１のＴＴＩの間に送信する。規範的実施形態では、第１のＴＴＩの間に送信される２つのＴＢの一方（例えば、第２のＴＢ）のみが受信されてＡＰにより首尾良くデコードされるが、第１のＴＢは、ＡＰにより首尾良くデコードされない。ＡＰは、第１及び第２のＴＢの各々に関連したＮＤＩ（データ指示子）信号を与える。従って、ここに示す例では、デコードされた第２のＴＢに関連したＮＤＩは、トグルされ（新規なＴＢを要求するために、従って、第２のＴＢの受信／デコーディングを指示する）、一方、ＡＰは、誤って受信された（デコードされない）第１のＴＢに関連したＮＤＩをトグルしない（従って、第１のＴＢの再送信を要求する）。
【００３１】
規範的実施形態によれば、ＭＩＭＯワイヤレスネットワーク、又は空間的マルチプレクシングが遂行されるワイヤレスネットワークにおいてＡＰが再送信ＰＤＵ（又はその一部分）をデコードすることのできる見込みを改善するために種々の技術が使用される。例えば、第２のＴＴＩの間に多数（例えば、２つ以上）のＴＢを使用して、フェイルしたＰＤＵの多数（例えば、２つ以上）のインスタンス（又はその少なくとも一部分）を送信し、例えば、ＡＰがＰＤＵをデコードできる見込みを改善することができる。ここに述べる種々の例及び実施形態は、ＴＴＩごとに２つの空間的レイヤ／２つのＴＢを使用するワイヤレスシステムについて図示して説明するが、ここに述べる技術及び規範的実施形態は、ＴＴＩごとに３つ以上のＴＢが送信されるワイヤレスシステムに適用されてもよい。
【００３２】
ここに述べるように、及び／又は図１から８に示す規範的実施形態の１つ以上を参照して使用され又は記述されるように、プロトコルデータユニットのフレーズインスタンス（ＰＤＵのインスタンス）は、少なくとも共通の（又は同じ）ＰＤＵペイロード（又はその一部分、例えば、ＰＤＵペイロード内の１つ以上の同じ／共通のサービスデータユニット／ＳＤＵ）を有するＰＤＵを含み、及び／又はＰＤＵの同じ又は異なる冗長性バージョンである。例えば、ＰＤＵの多数のインスタンスは、ＰＤＵの多数のインスタンスに対して同じである同じＭＡＣペイロード（又はその一部分）を含み、そしてそのようなＰＤＵは、同じＭＡＣヘッダ又は異なるＭＡＣヘッダ、及び／又は又はＭＡＣヘッダ内の１つ以上のフィールドに対して異なる値を含む。上述したように、１つのここに示す規範的実施形態では、ＰＤＵの多数のインスタンスは、ＰＤＵの同じ又は異なる冗長性バージョン（例えば、ＲＶ０、ＲＶ１、ＲＶ２又はＲＶ３）である（例えば、ＰＤＵの多数のインスタンスは、異なるパリティビット、及び／又はコード化ビットの異なるセットを含む）。ＰＤＵの多数のインスタンスは、ＰＤＵの新規（オリジナル）送信及び／又はＰＤＵの再送信を含む。
【００３３】
規範的実施形態によれば、冗長性バージョンという語は、チャンネルコード化のためのターボコーディング、畳み込みコーディング、ＬＤＰＣ（低密度パリティチェック）又は他のチャンネルコーディング技術を使用し、又はそれらを使用することを含む。例えば、ターボコーディング及びＬＤＰＣコーディングでは、エンコーダがコード化ビットの１つ以上のセット（冗長性バージョン）を生成するが、従来のコーディングは、１セットのコード化ビットを生成し、これは、（例えば）ＲＶ０と考えられる。従って、１つ以上の冗長性バージョン又はコード化ビットのセットを生成するために異なるタイプのコーディングを使用することができる。又、異なるデータセット又は冗長性バージョンを合成するために、（例えば）チェイス合成、ソフト合成、又は増分的冗長性のような異なるタイプのデータ合成を使用することができる。
【００３４】
図３は、規範的実施形態によるワイヤレスシステムの動作を示す図である。図３に示す動作の規範的実施形態によれば、同じＰＤＵの多数のインスタンスは、例えば、ＰＤＵの同じ冗長性バージョンでも異なる冗長性バージョンでもよい。図３に示す例では、空間的マルチプレクシングが、例えば、２つの空間的レイヤで行われ、２つのＴＢが各ＴＴＩの間に無線／ワイヤレスインターフェイスを経て送信されるようにする。図３に示す例は、ＴＴＩごとに２つの空間的レイヤ／２つのＴＢがある場合について示されているが、ここに述べる技術は、ＴＴＩごとに３つ以上のＴＢが送信されるワイヤレスシステムに適用されてもよい。
【００３５】
図３に示すように、ＵＥ（又はユーザデバイス）１３２は、ＡＰ１３４と通信する。送信タイムインターバル（ＴＴＩ）１（ＴＴＩ１）の間に、ＵＥ１３２は、（３１０において）ＴＢ１を経てＰＤＵ１の第１インスタンスを送信し、そして（３１２において）ＴＢ２を経てＰＤＵ２の第１インスタンスを送信する。例えば、ＰＤＵ１の第１インスタンスは、ＰＤＵ１のＲＶ０であり、そしてＰＤＵ２の第１インスタンスは、ＰＤＵ２のＲＶ０である。これらは、単なる例に過ぎない。
【００３６】
図３の例に示すように、ＰＤＵ１の第１インスタンスは、（Ｘで示したように）ＡＰ１３４により首尾良くデコードされず、従って、ＰＤＵ１は、フェイルしたＰＤＵである。一方、ＰＤＵ２の第１インスタンスが受信され、ＡＰ１３４により首尾良くでコードされる。従って、３１４において、ＡＰ１３４は、ＵＥ１３２へＮＤＩ（データ指示子）信号を与え、これは、ＴＢ１／ＰＤＵ１の第１インスタンスがデコードされなかった（ＰＤＵ１の再送信を要求する）ことを示すためにトグルされないＴＢ１のＮＤＩを含むと共に、ＴＢ２／ＰＤＵ２の第１インスタンスが受信されデコードされたことを指示し且つ新規データの送信を要求するためにトグルされるＴＢ２のＮＤＩを含む。又、規範的実施形態によれば、ＵＥ１３２は、例えば、ＵＥ１３２が送信すべき（新規）データを持たないこと（空のデータバッファ）を指示するバッファ状態レポート（ＢＳＲ）を（３１６において）ＡＰ１３４へ与えるか或いは早期に与えてもよい。例えば、ＢＳＲは、例えば、ＴＢ１及び／又はＴＢ２の送信と共に送信されてもよいし、或いはある例では、別々に送信されてもよい。
【００３７】
規範的実施形態によれば、ＴＴＩ１における送信されたＴＢのうちの２つ（全部未満）のＴＢの一方がＡＰ１３４により首尾良くデコードされないときには、ＵＥ１３２は、それが送信すべき新規データを持たない（例えば、空のデータバッファの）場合にＴＴＩ２の間にフェイルしたＰＤＵ（ＰＤＵ１）の２つの付加的なインスタンスを送信する。従って、図３に示す例では、ＴＢ１／ＰＤＵ１のＮＤＩをトグルしない（フェイルしたＰＤＵ／ＰＤＵ１の再送信を要求する）ＡＰ１３４と、ＵＥ１３２からの空のＢＳＲ（３１６における）（送信用バッファにデータがないことを指示する）との組み合せで、それら信号は、ＵＥ１３２が次のＴＴＩ（ＴＴＩ２）の両方（又は多数）のＴＢを使用して、フェイルしたＰＤＵ（ＰＤＵ１）の２つ（又は多数）の付加的なインスタンスを送信することを示す。
【００３８】
或いは又、（複写ＰＤＵがＴＢ４を経て送信されることを指示するために）ＵＥ１３２からＡＰ１３４へ送信される空のＢＳＲの存在又は通信に依存するのではなく、ＵＥ１３２又はＡＰ１３４は、（ＴＢ４における新規データの送信ではなく）複写ＰＤＵがＴＢ４を経て与えられることを指示する制御信号／制御シグナリングを他の当事者に送信する。従って、空のＢＳＲ又は他の制御シグナリングは、（例えば、ＰＤＵ１について）ＴＴＩ１のためのＴＢの１つに対して（再送信の要求を指示する）非トグルＮＤＩとの組み合せにおいて、ＴＢ４を経て送信されるデータがＴＴＩ２においてＴＢ３を経て送信されるデータの複写であることを指示する（即ち、ＴＢ４を経て与えられるデータ／ペイロード（又はその一部分）がＴＢ３の場合のように同じデータ／ペイロード（又はその一部分）を含むことを指示する）。
【００３９】
それ故、図３に示すように、ＴＴＩ２の間に、ＵＥ１３２は、（３１８において）ＴＢ３を経てのＰＤＵ１の要求された再送信（ＴＢ１に対しＮＤＩに基づきＰＤＵ１に要求される再送信はトグルされない）であるＰＤＵ１の第２インスタンスを送信／送出し、及び（３２０において）ＴＢ４を経てのＰＤＵ１の第３インスタンスを送信／送出する。例えば、ＰＤＵ１の再送信として、ＴＢ３を経て送信されるＰＤＵ１の第２インスタンスは、ＰＤＵ１の第１インスタンスのＲＶとは異なる冗長性バージョン（ＲＶ）である。従って、例えば、ＰＤＵ１の第１インスタンスがＲＶ０であった場合には、ＰＤＵ１の第２インスタンスがＲＶ１、ＲＶ２、ＲＶ３、等となる。ＴＢ４を経て（３２０において）送信されるＰＤＵ１の第３インスタンスは、ＰＤＵ１／ＴＢ３の第２インスタンスと同じＲＶでもよいし異なるＲＶでもよい。又、規範的実施形態によれば、データ／ペイロードは、ＰＤＵ１の第１インスタンス、第２インスタンス及び第３インスタンスの各々に対して同じである。更に、規範的実施形態によれば、（ＴＢ３を経て送信される）ＰＤＵ１の第２インスタンス及び（ＴＢ４を経て送信される）ＰＤＵ１の第３インスタンスは、（ＴＢ１を経て送信される）ＰＤＵ１の第１インスタンスと同じＲＶでもよいし又は異なるＲＶでもよい。従って、例えば、ＰＤＵ１の第１インスタンス、第２インスタンス及び第３インスタンスは、各々、同じＲＶでよい。或いは又、第１インスタンス、第２インスタンス及び第３インスタンスは、各々、ＰＤＵ１の異なるＲＶでよく、例えば、ここに示す例では、第１インスタンスは、ＰＤＵ１のＲＶ０であり、第２インスタンスは、ＰＤＵ１のＲＶ１であり、そして第３インスタンスは、ＰＤＵ１のＲＶ２である。これらは、単なる例示に過ぎない。
【００４０】
又、この例では、空のＢＳＲ（ＵＥ１３２がＡＰ１３４へ送信すべき新規データを持たないことを指示する）及びトグルされなかった（従って、ＡＰ１３４がＰＤＵ１の再送信を要求している）ＴＢ１のＮＤＩに基づき、ＵＥ１３２とＡＰ１３４との間では、ＴＢ４（ＰＤＵ１の第３インスタンスを含む）がＴＢ３を経て与えられるＰＤＵ１の第２インスタンスの複写を含むことが理解される。従って、この例では、ＴＢ４に対する複写という語は、ＴＢ４を経て与えられるデータ（又はその一部分）が、ＴＢ３（同じＴＴＩを経て送信される他のＴＢ）を経て与えられるデータ（又はその一部分）の複写であり、新規データではないことを意味する。それ故、そのようなケースでは、ＴＴＩ２を経て入手できるＴＢ４を使用しない（又はデータの送信を省略する）のではなく、このＴＢ４は、例えば、ＡＰ１３４がＰＤＵ１をデコードできる見込みを改善するために、フェイルしたＰＤＵ（ＰＤＵ１）の付加的なインスタンス（例えば、３２０における第３インスタンス）を送信するのに使用される。
【００４１】
他方、図３には示されていないが、規範的実施形態によれば、ＵＥ１３２が送信のための新規データを有することをＵＥ１３２からのＢＳＲが指示した場合、及び／又はＴＢ１のためのＮＤＩがトグルされた（新規データを送信する要求を示す）場合には、ＵＥ１３２は、典型的に、ＴＢ４を経て新規データを送信する（これは、典型的に、ＴＢ３を経て送信されたＰＤＵとは異なる（複写データではない））。
【００４２】
ＡＰ１３４は、ＰＤＵ１の第２インスタンス及び第３インスタンスを受信し、次いで、ＰＤＵ１の多数のインスタンス（例えば、３１０における第１インスタンス、３１８における第２インスタンス、及び／又は３２０における第３インスタンス）を合成して（例えば、ソフト合成、増分的冗長性、又は他のデータ合成技術を経て）、合成ＰＤＵ１を得、従って、ＡＰ１３４がＰＤＵ１をデコードできる見込みを高くする。
【００４３】
３２２において、ＡＰ１３４は、ここに示す例により、例えば、次のＴＴＩの両ＴＢに対する新規データの要求を指示する（従って、ＴＢ３及びＴＢ４のためのＰＤＵが受信されデコードされたことを指示する）両ＴＢ３及びＴＢ４のためのトグルされたＮＤＩを含めて、ＴＢ３及びＴＢ４のためのＮＤＩ（データ指示子）信号を送信する。別の規範的実施形態によれば、両ＴＢ３及びＴＢ４のためのＮＤＩは、ＴＢ３又はＴＢ４を経て送信されるＰＤＵが１つしか首尾良くデコードされなくても（又はＰＤＵ１がデータ合成技術を使用してデコードされても）、例えば、ＴＢ４のデータは、ＴＢ３のデータの複写であるために、トグルされる（新規データを送信するための要求を指示する）。規範的実施形態では、データ指示子／ＮＤＩ信号は、アップリンク許可と共にＵＥ１３２へ送信される。
【００４４】
又、３２４において、規範的実施形態によれば、ＡＰ１３４は、ＴＢ３又はＴＢ４のいずれかについてはＨＡＲＱフィードバック（例えば、ＴＢの受信を確認するＡＣＫ／確認又はＴＢが受信されなかったことを指示するＮＡＫ／否定確認）を与えるが、ＴＢ３及びＴＢ４の両方については（必ずしも）与えない。これは、ここに示す例では、ＴＢ４は、ＴＢ３を経て与えられたデータ（少なくともペイロード又はペイロードの一部分）の複写を含む。従って、ＴＢ３又はＴＢ４のいずれか（又は両方）を経て（又はＰＤＵ１の多数のインスタンスの組み合せを経て）データが首尾良く通信された場合には、ＡＣＫが（例えば、ＴＢ３を経て）ＴＢの１つについて送信されるが、このケースでは、ＴＢ３及びＴＢ４の両方についてＡＣＫを送信する必要はない（不必要なオーバーヘッドを招く）（ＴＢ３及びＴＢ４が同じＰＤＵペイロードのインスタンスを与えるので）。
【００４５】
図３に示す規範的実施形態は、４つの空間的レイヤ（例えば、ＴＴＩごとに４つのＴＢ）、８つの空間的レイヤ（例えば、ＴＴＩごとに８つのＴＢ）、等のように、３つ以上の空間的レイヤを備えたシステム（又はＴＴＩごとに３つ以上のＴＢを送信するシステム）に適用される。例えば、ＴＴＩごとに４つのＴＢのケースでは、ＴＢ１−４がＴＴＩ１の間に送信され、そしてＴＢ５−８がＴＴＩ２を経て送信される。例えば、（ＴＴＩ１の間に送信される）ＰＤＵ１の第１のインスタンスを含むＴＢ１がフェイルし／ＡＰ１３４においてデコードされなかった場合には、そのようなフェイルしたＴＢ（ＴＢ１）のためのＮＤＩがトグルされない（ＰＤＵ１の再送信の要求を指示する）。例えば、空きＢＳＲ（又は他の制御シグナリング）及びフェイルしたＰＤＵ１／ＴＢ１（ＴＢ１のためのＮＤＩにおいてトグルしないことで示される）に基づき、ＰＤＵ１のインスタンス（例えば、第２インスタンス）がＴＴＩ２の間に１つ以上の他のＴＢを経て再送信され、例えば、ＰＤＵ１の第２インスタンスは、ＴＢ５を経て送信され、ＰＤＵ１の第３インスタンス（ＴＢ５におけるデータの複写と考えられる）は、ＴＢ６又はＴＢ７を経て送信され、等々である。又、ＵＥ１３２は、ＡＰ１３４に、又はＡＰ１３４は、ＵＥ１３２に、ＴＴＩ２の間にどのＴＢ（例えば、ＴＢ６又はＴＢ７）が複写データ（非新規／非複写データ）を含むことになるか（又は含まねばならないか又は含んでもよいか）通知する。従って、ここに示す例によれば、ＰＤＵ１の第２インスタンス（再送信としての）がＴＢ５を経て送信され（ここに示す例では）、そしてＰＤＵ１の第３（又はそれ以上の）インスタンスが（複写データとして）与えられて、ＴＴＩ２の１つ以上の他のＴＢ（例えば、ＴＢ６、ＴＢ７及び／又はＴＢ８）を経て送信される。
【００４６】
図４は、別の規範的実施形態によるワイヤレスシステムの動作を示す図である。図４の実施形態は、図３に示す実施形態と同様であるが、その相違を以下に述べる。図４に示す動作の規範的実施形態によれば、同じＰＤＵペイロードの多数のインスタンスが異なるＴＢを経て送信される。図４に示す動作の規範的実施形態によれば、複写データが１つ以上のＴＢを経て送信される（又はされてもよい）ことを指示するために（図３のように）空きＢＳＲレポートに依存するのではなく、図４の実施形態は、ＰＤＵが非複写データであるか複写データであるかを指示するために各ＰＤＵのＭＡＣヘッダ内にＭＡＣ＿ＰＤＵ＿ｔｙｐｅフィールドを使用する。ＭＡＣ＿ＰＤＵ＿ｔｙｐｅフィールドが非複写にセットされたときには、これは、同じＴＴＩの間に送信される他のデータ／ＰＤＵの複写でないデータをＭＡＣ  ＰＤＵが含むことを意味する。一方、ＭＡＣ＿ＰＤＵ＿ｔｙｐｅフィールドが複写にセットされたときには、これは、同じＴＴＩの間に異なるＴＢを経て送信された別のＰＤＵのデータ／ペイロード（又はその一部分）と同じ（又はその複写）である複写データ／ペイロード（又は少なくともその一部分）をＭＡＣ  ＰＤＵが含むことを意味する。
【００４７】
図４を参照すれば、ＴＴＩ１の間に、ＵＥ１３２は、（４１０において）ＴＢ１を経てＰＤＵ１の第１インスタンスを送信し、そして（４１２において）ＴＢ２を経てＰＤＵ２の第１インスタンスを送信する。例えば、ＰＤＵ１の第１インスタンスは、ＰＤＵ１の冗長性バージョンＲＶ０であり、そしてＰＤＵ２の第１インスタンスは、ＰＤＵ２のＲＶ０である。ここに示す例では、ＰＤＵ１の第１インスタンス及びＰＤＵ２の第１インスタンスは、両方とも、非複写にセットされたＭＡＣ＿ＰＤＵ＿ｔｙｐｅフィールドを含む。
【００４８】
規範的実施形態によれば、（４１０において）ＰＤＵ１の第１インスタンスは、（Ｘで示されたように）ＡＰ１３４により首尾良くデコードされず、従って、ＰＤＵ１は、フェイルしたＰＤＵである。（４１２において）ＰＤＵ２の第１インスタンスが受信されそしてＡＰ１３４により首尾良くデコードされる。従って、４１４において、ＡＰ１３４は、ＵＥ１３２へＮＤＩ（データ指示子）信号を与え、これは、ＴＢ１／ＰＤＵ１の第１インスタンスが首尾良くデコードされなかった（ＰＤＵ１の再送信を要求する）ことを指示するためにトグルされないＴＢ１のＮＤＩを含むと共に、ＴＢ２／ＰＤＵ２の第１インスタンスが受信され首尾良くデコードされたことを指示し且つ新規データの送信を要求するためにトグルされるＴＢ２のＮＤＩを含む。例えば、ＮＤＩ信号は、ここに示す例では、ＴＢ１又はＴＢ２を経て与えられるか又は個別の信号として与えられる。
【００４９】
又、規範的実施形態によれば、ＵＥ１３２は、例えば、ＵＥ１３２が送信すべき（新規）データを持たないこと（空のデータバッファ）を指示するバッファ状態レポート（ＢＳＲ）をＡＰ１３４へ与えるが、各ＭＡＣ  ＰＤＵに含まれたＭＡＣ＿ＰＤＵ＿ｔｙｐｅフィールドは、ＰＤＵが複写データを含むかどうか指示する。従って、ＵＥ１３２は、ＡＰ１３４へＢＳＲを送信するが、ＢＳＲレポートは、この規範的実施形態では、（ＭＡＣ＿ＰＤＵ＿ｔｙｐｅフィールドがこの複写／非複写情報を与えるのではなく）ＰＤＵが複写データを含む又は含んでもよいかどうか指示するのに必ずしも使用されない。
【００５０】
ＴＴＩ２の間に、ＵＥ１３２は、（４１６において）ＡＰ１３４へ、ＭＡＣ＿ＰＤＵ＿ｔｙｐｅフィールドが非複写にセットされた状態で、ＴＢ３を経てＰＤＵ１の第２インスタンスを送信する。ＰＤＵ１の第２インスタンスは、ＰＤＵ１の再送信であり、そして例えば、ＰＤＵ１のＲＶ１、ＲＶ２、ＲＶ３のような冗長性バージョンとして送信される。又、ＴＴＩ２の間に、ＵＥ１３２は、（４１８において）ＡＰ１３４へ、ＭＡＣ＿ＰＤＵ＿ｔｙｐｅフィールドが複写にセットされた状態で、ＴＢ４を経てＰＤＵ１の第３インスタンスを送信する（例えば、ＴＢ４を経て送信されるＰＤＵ１の第３インスタンスが、ＴＢ３を経て送信されるＰＤＵ１の第２インスタンスとして複写（又は同じ）データ／ペイロードを含むことを指示する）。１つの規範的実施形態では、少なくともオリジナルＴＢのサイズと同程度の複写データを送信するためにＴＢサイズが使用される（又はあるケースでは要求される）。
【００５１】
ＰＤＵ１の第３インスタンスは、ＰＤＵ１の第１及び第２インスタンスとは異なる値をもつフィールド（複写にセットされたＭＡＣ＿ＰＤＵ＿ｔｙｐｅフィールド）をＭＡＣヘッダに含む。従って、ＰＤＵ１の第１及び第２インスタンスは、同じＰＤＵの異なる冗長性バージョンであるが、ＰＤＵ１の第３インスタンスは、例えば、ＲＶ０として個別にエンコードされ（ＰＤＵ１の第３インスタンスの情報ビットが変化したために）、その後、ＴＢ４を経て送信される。
【００５２】
ＡＰ１３４は、ＰＤＵ１の第２及び第３インスタンスを受信し、そして例えば、ＰＤＵ１の第１インスタンス、ＰＤＵ１の第２インスタンスに基づいて、ＰＤＵ１（又は少なくともＰＤＵ１のペイロード）をデコードするためにデータ合成を使用する。ここに示す例によれば、例えば、ＰＤＵ１の第３インスタンスは、典型的に、ＰＤＵ１の第２及び第３インスタンスとのデータ合成に使用されない。というのは、第３インスタンスは、ＰＤＵ１の第１及び第２インスタンスに比して個別にエンコードされたからである。
【００５３】
４２０において、ＡＰ１３４は、例えば、ＴＢ３及びＴＢ４の一方又は両方に対するＮＤＩ信号をトグルすることを含めて、ＮＤＩ信号を送信する。４２２において、ＡＰ１３４は、ＴＢ３及び／又はＴＢ４に対するＨＡＲＱフィードバックを送信する（例えば、ＴＢ３及び／又はＴＢ４に対するＡＣＫを送信することにより）。しかしながら、例えば、ＴＢ３及びＴＢ４は、同じデータペイロードを含むので、ＴＢ３及びＴＢ４の一方のみについてＨＡＲＱフィードバック（ＡＣＫ／ＮＡＣＫ）を送信すればよい。同様に、ＴＢ３及びＴＢ４の一方のみについてＮＤＩ信号を与えるだけでよいか、又はＴＢ３及びＴＢ４の一方のみについてＮＤＩをトグルするだけでよい（例えば、ＴＢ３又はＴＢ４のいずれかについてＮＤＩがトグルされる場合には、これは、このデータを再送信する必要がないことを指示する）。
【００５４】
図３を参照して述べたものと同様の仕方で、図４に示す規範的実施形態は、ＴＴＩごとに３つ以上のＴＢを送信するワイヤレスネットワークに適用される。即ち、ＴＴＩごとに４つ以上のＴＢのケースでは、ＵＥ１３２は、ＴＴＩ２の間にＰＤＵ１の２つ以上のインスタンスを送信する（再送信ＰＤＵ及び１つ以上の複写ＰＤＵを含む）。例えば、ＴＢ１−４は、ＴＴＩ１の間に送信され、そしてＴＢ５−８は、ＴＴＩ２の間に送信される。例えば、ＵＥ１３２は、ＴＢ１を経てＴＴＩ１の間に（フェイルした）ＰＤＵ１の第１インスタンス（ＭＡＣ＿ＰＤＵ＿ｔｙｐｅフィールドが非複写にセットされ）を送信し、そしてＴＴＩ２の間に、ＴＢ５を経てＰＤＵ１の第２インスタンス（ＭＡＣ＿ＰＤＵ＿ｔｙｐｅフィールドが非複写にセットされた）を、ＴＢ６を経てＰＤＵ１の第３インスタンス（ＭＡＣ＿ＰＤＵ＿ｔｙｐｅフィールドが複写にセットされた）を、及びＴＢ７又はＴＢ８を経てＰＤＵ１の第４インスタンス（ＭＡＣ＿ＰＤＵ＿ｔｙｐｅフィールドが複写にセットされた）を送信する。従って、ＴＴＩ２の間には、ＰＤＵ１の再送信（例えば、ＭＡＣ＿ＰＤＵ＿ｔｙｐｅフィールド非複写にセットされた）に加えて、多数（２つ以上）の複写ＰＤＵ（例えば、ＭＡＣ＿ＰＤＵ＿ｔｙｐｅが複写にセットされた）が送信される。ネットワーク、ＡＰ１３４及び／又はＵＥ１３２は、（新規データを送信するのではなく）複写ＰＤＵを送信するのにどのＴＢが使用されるか（使用されてもよいか）を指示する。
【００５５】
図５は、更に別の規範的実施形態によるＭＡＣ  ＰＤＵを示す図である。ここに示す例では、ＭＡＣ  ＰＤＵ５１０は、ＭＡＣヘッダ５１２及びＭＡＣペイロード５１４を含む。ＭＡＣペイロード５１４は、１つ以上のＭＡＣサービスデータユニット（ＭＡＣ  ＳＣＵ）、例えば、ＭＡＣ  ＳＤＵ１、ＳＤＵ２、・・・ＳＤＵＮを含む。ＭＡＣヘッダ５１２は、多数のフィールド、例えば、ＭＡＣ＿ＰＤＵ＿ｔｙｐｅフィールド５１６（図４の規範的実施形態を参照して上述した）、ヘッダ長さフィールド、及び１つ以上の論理的チャンネルＩＤ（ＬＣＩＤ）サブヘッダ及びＭＡＣ制御要素（ＭＡＣ  ＣＥ１、ＭＡＣ  ＣＥ２、・・・）を含む。ＭＡＣ制御要素は、種々の制御情報、例えば、バッファ状態レポート（ＢＳＲ）、電力関連情報、及び／又は他の制御情報を通信するのに使用される。
【００５６】
１つのオプションにおいて、図４を参照して述べたように、ＭＡＣ＿ＰＤＵ＿ｔｙｐｅフィールド５１６は、同じＴＴＩの間に再送信ＰＤＵの複写である（又はそうではない）ＭＡＣ  ＰＤＵ５１０を特定するＭＡＣヘッダ５１２内に設けられる。ここに示す１つの規範的実施形態によれば、ＭＡＣ  ＰＤＵ５１０がＭＡＣ＿ＰＤＵ＿ｔｙｐｅフィールド５１６により複写として指定される場合には、ＵＥ１３２は、典型的に、ＭＡＣ  ＰＤＵ５１０において、（同じＴＴＩの間に）再送信ＭＡＣ  ＰＤＵと同じコンテンツ（同じデータ／ＭＡＣペイロードを含む）を含むが、ＭＡＣ  ＰＤＵ５１０のＭＡＣ＿ＰＤＵ＿ｔｙｐｅフィールド５１６を単に非複写から複写へ変更する。従って、ここに示す規範的実施形態では、ＭＡＣ＿ＰＤＵ＿ｔｙｐｅフィールドの値を非複写から複写へ変更する以外に、ＭＡＣ  ＰＤＵを複写するのに更なるＭＡＣ動作が要求されない。
【００５７】
別の規範的実施形態では、ネットワーク又はＡＰ１３４は、再送信ＴＢ／ＰＤＵに比して、異なる変調、即ち複写ＰＤＵ／ＴＢのためのコード化スキーム（ＭＣＳ）をスケジュールする。このケースでは、ＵＥは、ＭＡＣ  ＰＤＵを複写しないが、指示されたＴＢサイズに対応するように新規なＭＡＣ  ＰＤＵ（複写ＰＤＵに対して新規なコード化スキームが使用されるので）を発生し、そして再送信ＴＢからＭＡＣ  ＳＤＵ（又はＭＡＣペイロード）を複写する。従って、例えば、異なるＭＡＣ  ＰＤＵサイズ又は異なるＴＢサイズを受け容れるために複写ＰＤＵに対して新規なコード化スキームが使用される。
【００５８】
１つのオプションにおいて、ネットワーク又はＡＰ１３４は、複写ＴＢにおいて送信できる寸法的に考えられるＭＡＣ制御要素（ＣＥ）に対して複写ＰＤＵ／ＴＢのための高いＭＣＳをスケジュールする。例えば、ＭＣＳが高い場合は、ＴＢにおいてより多くのビットが送信される。従って、ここに示す例では、例えば、ＭＡＣ  ＣＥのような付加的なデータを含む新規なＭＡＣ  ＰＤＵが構成され又は生成される。この例の複写データでは、全ＴＢが複写ではなく、新規なＭＡＣ  ＰＤＵは、例えば、複写ＭＡＣ  ＳＤＵ・プラス・付加的なＭＡＣ  ＣＥを含む。又、規範的実施形態では、これは、複写ＰＤＵに新規なエンコーディングを適用すべきことも要求する。
【００５９】
別のオプションにおいて、各ＭＡＣ  ＳＤＵ及び各ＭＡＣ制御要素（ＣＥ）は、プライオリティを有する。例えば、（同じＴＴＩの間の再送信ＰＤＵ／ＴＢのＭＣＳに比して）複写ＰＤＵ／ＴＢに対して使用される異なるＭＣＳに基づいて、再送信ＰＤＵ／ＴＢの全ＭＡＣペイロードが複写ＰＤＵ／ＴＢのＭＡＣペイロード５１４に適合しない場合には、再送信ＰＤＵのＭＡＣ  ＳＤＵ及び／又は制御要素（ＣＥ）は、プライオリティに従って（送信のための）複写ＭＡＣ  ＰＤＵのペイロードに割り当てられ又はそこにコピーされる。換言すれば、再送信ＰＤＵ／ＴＢの全ＭＡＣ  ＣＥ及びＭＡＣ  ＳＤＵに対する複写ＰＤＵ／ＴＢのペイロードに充分なスペースがない場合には、送信ＰＤＵの最高プライオリティのＭＡＣ  ＳＤＵ及び／又はＭＡＣ  ＣＥが送信のために複写ＰＤＵに割り当てられる。あるケースでは、再送信ＰＤＵ／ＴＢの低い又は最低のプライオリティのＣＥ及び／又はＳＤＵが複写ＰＤＵ／ＴＢから省かれてもよい。そのようなケースでは、例えば、再送信ＰＤＵ及び複写ＰＤＵの両方を経て受信された（又は再送信ＰＤＵ又は複写ＰＤＵの一方とオリジナルＰＤＵとの間で共通である）（共通の）データ部分（ＳＤＵ及び／又はＣＥ）に対してＡＰ１３４によりデータ合成が遂行される。例えば、ＵＥ１３２は、再送信ＴＢからのできるだけ多数のＭＡＣ  ＳＤＵを複写して、生成されたＭＡＣ  ＰＤＵにＭＡＣ  ＣＥも適合するようにする。１つの規範的オプションでは、ＭＡＣ  ＳＤＵは、プライオリティが低くなる順序で関連論理的チャンネルプライオリティに従って複写されてもよい。
【００６０】
別の規範的実施形態では、ＵＥ１３２が空きＢＳＲを以前にレポートしていない場合には、ＵＥ１３２は、再送信ＰＤＵ／ＴＢからのＭＡＣペイロード（又はその一部分、例えば、ＭＡＣ  ＣＥ及び／又はＭＡＣ  ＳＤＵ）の複写を自動的に（例えば、ＡＰ１３４により要求されることなく）行う。１つのオプションでは、複写ＰＤＵ／ＴＢのＭＣＳが、再送信ＰＤＵ／ＴＢのＭＣＳと同じである場合は、ＵＥ１３２が再送信ＴＢを複写する。１つのオプションにおいて、ＵＥは、ＰＤＵ／ＴＢを、再送信ＰＤＵ／ＴＢではなく、異なるＲＶ（冗長性バージョン）に関連付ける。１つのオプションでは、ＵＥは、再送信ＰＤＵ／ＴＢのＲＶから導出されてもされなくてもよい複写ＰＤＵ／ＴＢのためのＲＶ使用について特定の順序を有してもよい。又、１つのオプションでは、ＵＥは、スケジューリング許可におけるＲＶを複写ＰＤＵ／ＴＢのためのＲＶとして使用する。
【００６１】
１つのオプションでは、複写ＰＤＵ／ＴＢのＭＣＳが再送信ＰＤＵ／ＴＢのＭＣＳとは異なる（それより高い／それより低い）場合には、ＵＥは、例えば、Ａ）複写ＰＤＵ／ＴＢのサイズが再送信ＴＢ＋ＢＳＲレポート及びそのＭＡＣサブヘッダのサイズ以上である場合には、再送信ＰＤＵ／ＴＢからＭＡＣ  ＳＤＵを複写しそして空のＢＳＲを伴う複写ＭＡＣ  ＰＤＵを生成する。Ｂ）そうでなければ（複写ＰＤＵ／ＴＢサイズが再送信ＴＢ＋ＢＳＲレポート及びそのＭＡＣサブヘッダのサイズほど大きくない）、できるだけ多数のＭＡＣ  ＳＤＵを再送信ＰＤＵ／ＴＢから複写して、空のＢＳＲがその生成されたＭＡＣ  ＰＤＵに適合するようにする。従って、このケースでは、空のＢＳＲ（送信すべき新規データがないことを指示する）が、複写ＰＤＵ／ＴＢにおいて送信される高プライオリティの制御要素として処理される。１つのオプションでは、ＭＡＣ  ＳＤＵは、プライオリティの低くなる順序で関連論理的チャンネルプライオリティに従って複写される。
【００６２】
１つの実施形態において、複写ＰＤＵ／ＴＢのＭＣＳが再送信ＰＤＵ／ＴＢのＭＣＳとは異なる場合には、ＵＥは、複写ＰＤＵ／ＴＢに与えられる新規なＭＡＣ  ＣＥを経て（例えば、複写ＰＤＵ／ＴＢにどのＭＡＣ  ＳＤＵが含まれるか指示する）ＭＡＣ  ＳＤＵ複写についてＡＰ１３４／ネットワークに指示する。１つのオプションでは、ＡＰ１３４／ネットワークは、ＵＥのアップリンクデータバッファが空である（送信のための新規なデータがない）ことをＭＡＣ  ＣＥから導出する。１つの実施形態では、ＡＰ１３４／ネットワークは、ＲＲＣ（無線リソース制御）シグナリング又はＭＡＣシグナリングのような専用シグナリングを経てユーザデバイスを構成することにより複写スキームを使用できるようにする。
【００６３】
種々の規範的実施形態によれば、上述した規範的実施形態は、例えば、１つのＰＤＵ／ＴＢを再送信する必要があるとき、ＴＴＩごとに３つ以上のＴＢを送信できるケース又はワイヤレスシステムに対して一般化することができる。再送信ＴＢを受信者／ＡＰ１３４によりデコードする最良の考えられる見込みを保証するためにＴＴＩ２の間に他のＴＢの１つ以上を複写に使用することができる。
【００６４】
他のケースでは、次の付加的な規範的実施形態又は特徴も提供される。即ち、再送信されるべきＰＤＵ／ＴＢの量が複写に使用できるＴＢに対応するとき、ＡＰ１３４／ネットワークは、各再送信ＴＢが別の複写ＴＢにおいて一度複写されるように複写ＴＢのＭＣＳをスケジューリングすることができる。再送信ＰＤＵ／ＴＢの量が複写に使用できるＴＢより多いときには、ＡＰ１３４／ネットワークは、複写ＰＤＵを送信し及び複写ＰＤＵ／ＴＢのＭＣＳを適応／調整するためにＵＥがどのＴＢを使用すべきか指示する。１つのオプションにおいて、ＵＥは、１つ又は多数の再送信ＰＤＵ／ＴＢから複写ＴＢに適合する量まで最高プライオリティのＭＡＣ  ＳＤＵを複写する。従って、多数の各再送信ＰＤＵ／ＴＢの１つ以上のＭＡＣ  ＳＤＵは、１つ以上の複写ＰＤＵ／ＴＢに適合するＭＡＣ  ＳＤＵの量まで１つ以上の複写ＰＤＵ／ＴＢ（又は複数の複写ＰＤＵ／ＴＢ）に対して割り当てられる。
【００６５】
それ故、１つ以上の規範的実施形態は、例えば、未使用のＴＢにおいて送信されるべき付加的なデータがないときに再送信ＴＢと共にスケジューリングされねばならない未使用のＴＢの利点を取り入れることができる。
【００６６】
１つの付加的な例では、ここに述べる再送信手順の間に、ＵＥが利用可能な新規データをバッファに有する場合には、付加的な手順がトリガーされる。例えば、ＴＢ４を経てＰＤＵの複写（又は複写ペイロード／複写ＳＤＵ）を送信すべきか新規データを送信すべきかをＵＥに委ねることができる。１つのオプションにおいて、ＵＥが、ＭＡＣ複写ＰＤＵ（ＭＡＣ＿ＰＤＵ＿ｔｙｐｅが複写にセットされたＭＡＣ  ＰＤＵ）を経て複写データを送信しても、より多くのデータがそのバッファにおいて利用できるようになることを指示するＢＳＲレポートを指示することができる。換言すれば、規範的実施形態において、ＵＥは、それが送信を待機してそのデータバッファに新規データを有していても、複写ＰＤＵ（例えば、ＭＡＣ＿ＰＤＵ＿ｔｙｐｅ＝複写を伴うＭＡＣ  ＰＤＵ）を経て複写データ／複写ペイロード／複写ＳＤＵを送信することができる。
【００６７】
規範的実施形態によれば、図３を参照して述べた規範的実施形態の１つ以上の特徴を、図４及び／又は図５を参照して述べた規範的実施形態の１つ以上の特徴と合成することができる。規範的実施形態によれば、図４を参照して述べた規範的実施形態の１つ以上の特徴を、図３及び／又は図５を参照して述べた規範的実施形態の１つ以上の特徴と合成することができる。そして、規範的実施形態によれば、図５を参照して述べた規範的実施形態の１つ以上の特徴を、図３及び／又は図４を参照して述べた規範的実施形態の１つ以上の特徴と合成することができる。
【００６８】
図６は、規範的実施形態によるユーザデバイスの動作を示すフローチャートである。オペレーション６１０は、ユーザ装置により第１の送信タイムインターバル中に空間的マルチプレクシングを経てワイヤレスネットワークのネットワークノードへ、第１のトランスポートブロックを経て第１のプロトコルデータユニットの第１インスタンスを及び第２のトランスポートブロックを経て第２のプロトコルデータユニットの第１インスタンスを送信するのを制御することを含む。オペレーション６２０は、第１のトランスポートブロックがネットワークノードにより受信されなかったことを指示する第１のトランスポートブロックに関連した第１のデータ指示子を受信するのを制御することを含む。オペレーション６３０は、第２のトランスポートブロックがネットワークノードにより受信されたことを示す第２のトランスポートブロックに関連した第２のデータ指示子を受信するのを制御することを含む。そして、オペレーション６４０は、ユーザ装置により第１のデータ指示子の受信に応答して第２の送信タイムインターバル中に空間的マルチプレクシングを経てネットワークノードへ、第３のトランスポートブロックを経て第１のプロトコルデータユニットの第２インスタンスの少なくとも一部分を及び第４のトランスポートブロックを経て第１のプロトコルデータユニットの第３インスタンスの少なくとも一部分を送信するのを制御することを含む。
【００６９】
図６の方法の規範的実施形態によれば、ユーザ装置により第１のデータ指示子の受信に応答して第２の送信タイムインターバル中にネットワークノードへ、第３のトランスポートブロックを経て第１のプロトコルデータユニットの第２インスタンスを送信するのを制御することは、ユーザ装置により第１のデータ指示子の受信に応答して第２の送信タイムインターバル中にネットワークノードへ、第３のトランスポートブロックを経て第１のプロトコルデータユニットの第１の冗長性バージョンを送信するのを制御することを含み、及びユーザ装置により第１のデータ指示子の受信に応答して第２の送信タイムインターバル中にネットワークノードへ、第４のトランスポートブロックを経て第１のプロトコルデータユニットの第３インスタンスを送信するのを制御することは、ユーザ装置により第１のデータ指示子の受信に応答して第２の送信タイムインターバル中にネットワークノードへ、第４のトランスポートブロックを経て第１のプロトコルデータユニットの第２の冗長性バージョンを送信するのを制御することを含み、第１の冗長性バージョン及び第２の冗長性バージョンは、異なるものである。
【００７０】
図６の方法の規範的実施形態によれば、第３のトランスポートブロックは、第１のプロトコルデータユニットの冗長性バージョンとしての第１のトランスポートブロックの再送信であり、冗長性バージョンは、ネットワークノードにより指示され、及び第４のトランスポートブロックは、第１のトランスポートブロックの複写である。
【００７１】
図６の方法の規範的実施形態によれば、前記方法は、ユーザ装置によりネットワークノードへ、ユーザ装置が送信のためのデータをもたないことを指示するバッファ状態レポートを送信するのを制御することを更に含む。
【００７２】
図６の方法の規範的実施形態によれば、ユーザ装置により第１及び第２の冗長性バージョンを選択すること、及びユーザ装置によりネットワークノードから、第１及び第２の冗長性バージョンを指示する制御シグナリングを受信するのを制御すること、の少なくとも１つを使用して、第１及び第２の冗長性バージョンを特定する。
【００７３】
図６の方法の規範的実施形態によれば、第３のトランスポートブロックを経て第１のプロトコルデータユニットの第２インスタンスの少なくとも一部分、及び第４のトランスポートブロックを経て第１のプロトコルデータユニットの第３インスタンスの少なくとも一部分、の両方を送信するのを制御するために、共通の変調及びコード化スキームが使用される。
【００７４】
図６の方法の規範的実施形態によれば、第３のトランスポートブロックを経て第１のプロトコルデータユニットの第２インスタンスの少なくとも一部分を送信するのを制御するために第１の変調及びコード化スキームが使用され、及び第４のトランスポートブロックを経て第１のプロトコルデータユニットの第３インスタンスの少なくとも一部分を送信するのを制御するために、第１の変調及びコード化スキームとは異なる第２の変調及びコード化スキームが使用される。
【００７５】
図６の方法の規範的実施形態によれば、第１のプロトコルデータユニットの第２インスタンスの少なくとも一部分は、第１のプロトコルデータユニットの第２インスタンスが初期の又は非複写のプロトコルデータユニットであることを指示するプロトコルデータユニットタイプフィールドを含み、及び第１のプロトコルデータユニットの第３インスタンスの少なくとも一部分は、第１のプロトコルデータユニットの第３インスタンスのペイロードが第１のプロトコルデータユニットの第２インスタンスのペイロードの複写であることを指示するプロトコルデータユニットタイプフィールドを含む。
【００７６】
図６の方法の規範的実施形態によれば、前記方法は、ユーザ装置によりネットワークノードから、第１のプロトコルデータユニットの第２インスタンス及び第３インスタンスの両方ではなく、第１のプロトコルデータユニットの第２インスタンス及び第３インスタンスの一方のみに対するハイブリッドＡＲＱフィードバックを受信するのを制御することを更に含む。
【００７７】
図６の方法の規範的実施形態によれば、第１のプロトコルデータユニットは、複数のサービスデータユニットを備え、各サービスデータユニットはプライオリティを有し、前記方法は、更に、第１のプロトコルデータユニットのサービスデータユニットの１つ以上を、それらサービスデータユニットのプライオリティに基づいて、第１のプロトコルデータユニットの第３インスタンスの少なくとも一部分に割り当てることを含む。
【００７８】
図６の方法の規範的実施形態によれば、第１のプロトコルデータユニットは、複数のサービスデータユニット及び複数の制御要素を備え、各サービスデータユニット及び制御要素はプライオリティを有し、前記方法は、更に、第１のプロトコルデータユニットのサービスデータユニット及び制御要素の少なくとも１つを、サービスデータユニットのプライオリティ及び制御要素のプライオリティに基づいて、第１のプロトコルデータユニットの第３インスタンスの少なくとも一部分に割り当てることを含む。
【００７９】
図６の方法の規範的実施形態によれば、ここに述べる方法動作のいずれか１つに基づく方法を実施するための手段を備えた装置が提供される。
【００８０】
図６の方法の規範的実施形態によれば、コンピュータ用のコンピュータプログラム製品は、それがコンピュータで実行されたときにここに述べる方法動作を遂行するためのソフトウェアコード部分を含む。
【００８１】
装置は、少なくとも１つのプロセッサ、及びコンピュータインストラクションを含む少なくとも１つのメモリを備え、前記コンピュータインストラクションは、少なくとも１つのプロセッサにより実行されたときに、装置が、ユーザ装置により第１の送信タイムインターバル中に空間的マルチプレクシングを経てワイヤレスネットワークのネットワークノードへ、第１のトランスポートブロックを経て第１のプロトコルデータユニットの第１インスタンスを及び第２のトランスポートブロックを経て第２のプロトコルデータユニットの第１インスタンスを送信するのを制御し；第１のトランスポートブロックがネットワークノードにより受信されなかったことを指示する第１のトランスポートブロックに関連した第１のデータ指示子を受信するのを制御し；第２のトランスポートブロックがネットワークノードにより受信されたことを示す第２のトランスポートブロックに関連した第２のデータ指示子を受信するのを制御し；及びユーザ装置により第１のデータ指示子の受信に応答して第２の送信タイムインターバル中に空間的マルチプレクシングを経てネットワークノードへ、第３のトランスポートブロックを経て第１のプロトコルデータユニットの第２インスタンスの少なくとも一部分を及び第４のトランスポートブロックを経て第１のプロトコルデータユニットの第３インスタンスの少なくとも一部分を送信するのを制御する；ようにさせるものである。
【００８２】
装置の規範的実施形態によれば、ユーザ装置により第１のデータ指示子の受信に応答して第２の送信タイムインターバル中にネットワークノードへ、第３のトランスポートブロックを経て第１のプロトコルデータユニットの第２インスタンスを送信するのを装置に制御させるインストラクションは、ユーザ装置により第１のデータ指示子の受信に応答して第２の送信タイムインターバル中にネットワークノードへ、第３のトランスポートブロックを経て第１のプロトコルデータユニットの第１の冗長性バージョンを送信するのを装置に制御させるインストラクションを含み；及びユーザ装置により第１のデータ指示子の受信に応答して第２の送信タイムインターバル中にネットワークノードへ、第４のトランスポートブロックを経て第１のプロトコルデータユニットの第３インスタンスを送信するのを装置に制御させるインストラクションは、ユーザ装置により第１のデータ指示子の受信に応答して第２の送信タイムインターバル中にネットワークノードへ、第４のトランスポートブロックを経て第１のプロトコルデータユニットの第２の冗長性バージョンを送信するのを装置に制御させるインストラクションを含み、第１の冗長性バージョン及び第２の冗長性バージョンは、異なるものである。
【００８３】
装置の規範的実施形態によれば、第３のトランスポートブロックは、第１のプロトコルデータユニットの冗長性バージョンとしての第１のトランスポートブロックの再送信であり、冗長性バージョンは、ネットワークノードにより指示され、及び第４のトランスポートブロックは、第１のトランスポートブロックの複写である。
【００８４】
装置の規範的実施形態によれば、ユーザ装置によりネットワークノードへ、ユーザ装置が送信のためのデータを有していないことを指示するバッファ状態レポートを送信するのを装置に制御させるインストラクションを更に含む。
【００８５】
装置の規範的実施形態によれば、ユーザ装置により第１及び第２の冗長性バージョンを選択するのを装置に行わせること；及びユーザ装置によりネットワークノードから、第１及び第２の冗長性バージョンを指示する制御シグナリングを受信するのを装置に行わせること；の少なくとも１つを使用して、第１及び第２の冗長性バージョンを特定する。
【００８６】
装置の規範的実施形態によれば、第３のトランスポートブロックを経て第１のプロトコルデータユニットの第２インスタンスの少なくとも一部分、及び第４のトランスポートブロックを経て第１のプロトコルデータユニットの第３インスタンスの少なくとも一部分、の両方を送信するのを制御するために、共通の変調及びコード化スキームが使用される。
【００８７】
装置の規範的実施形態によれば、第３のトランスポートブロックを経て第１のプロトコルデータユニットの第２インスタンスの少なくとも一部分を送信するのを制御するために第１の変調及びコード化スキームが使用され、及び第４のトランスポートブロックを経て第１のプロトコルデータユニットの第３インスタンスの少なくとも一部分を送信するのを制御するために、第１の変調及びコード化スキームとは異なる第２の変調及びコード化スキームが使用される。
【００８８】
装置の規範的実施形態によれば、第１のプロトコルデータユニットの第２インスタンスの少なくとも一部分は、第１のプロトコルデータユニットの第２インスタンスが初期の又は非複写のプロトコルデータユニットであることを指示するプロトコルデータユニットタイプフィールドを含み；第１のプロトコルデータユニットの第３インスタンスの少なくとも一部分は、第１のプロトコルデータユニットの第３インスタンスのペイロードが第１のプロトコルデータユニットの第２インスタンスのペイロードの複写であることを指示するプロトコルデータユニットタイプフィールドを含む。
【００８９】
装置の規範的実施形態によれば、ユーザ装置によりネットワークノードから、第１のプロトコルデータユニットの第２インスタンス及び第３インスタンスの両方ではなく、第１のプロトコルデータユニットの第２インスタンス及び第３インスタンスの一方のみに対するハイブリッドＡＲＱフィードバックを受信するのを装置に制御させるインストラクションを更に含む。
【００９０】
装置の規範的実施形態によれば、第１のプロトコルデータユニットは、複数のサービスデータユニットを備え、各サービスデータユニットは、プライオリティを有し、前記装置は、それが、第１のプロトコルデータユニットのサービスデータユニットの１つ以上を、それらサービスデータユニットのプライオリティに基づいて、第１のプロトコルデータユニットの第３インスタンスの少なくとも一部分に割り当てるようにさせるインストラクションを更に含む。
【００９１】
装置の規範的実施形態によれば、第１のプロトコルデータユニットは、複数のサービスデータユニット及び複数の制御要素を備え、各サービスデータユニット及び制御要素は、プライオリティを有し、前記装置は、それが、第１のプロトコルデータユニットのサービスデータユニット及び制御要素の少なくとも１つを、サービスデータユニットのプライオリティ及び制御要素のプライオリティに基づいて第１のプロトコルデータユニットの第３インスタンスの少なくとも一部分に割り当てるようにさせるインストラクションを更に含む。
【００９２】
規範的実施形態によれば、装置は、ユーザ装置により第１の送信タイムインターバル中に空間的マルチプレクシングを経てワイヤレスネットワークのネットワークノードへ、第１のトランスポートブロックを経て第１のプロトコルデータユニットの第１インスタンスを及び第２のトランスポートブロックを経て第２のプロトコルデータユニットの第１インスタンスを送信するのを制御する手段（例えば、８０２Ａ／８０２Ｂ及び／又は８０４、図８）；第１のトランスポートブロックがネットワークノードにより受信されなかったことを指示する第１のトランスポートブロックに関連した第１のデータ指示子を受信するのを制御する手段（例えば、８０２Ａ／８０２Ｂ及び／又は８０４、図８）；第２のトランスポートブロックがネットワークノードにより受信されたことを指示する第２のトランスポートブロックに関連した第２のデータ指示子を受信するのを制御する手段（例えば、８０２Ａ／８０２Ｂ及び／又は８０４、図８）；及びユーザ装置により第１のデータ指示子の受信に応答して第２の送信タイムインターバル中に空間的マルチプレクシングを経てネットワークノードへ、第３のトランスポートブロックを経て第１のプロトコルデータユニットの第２インスタンスの少なくとも一部分を及び第４のトランスポートブロックを経て第１のプロトコルデータユニットの第３インスタンスの少なくとも一部分を送信するのを制御する手段（例えば、８０２Ａ／８０２Ｂ及び／又は８０４、図８）；を備えている。
【００９３】
装置の規範的実施形態によれば、ユーザ装置により第１のデータ指示子の受信に応答して第２の送信タイムインターバル中にネットワークノードへ、第３のトランスポートブロックを経て第１のプロトコルデータユニットの第２インスタンスを送信するのを制御する前記手段は、ユーザ装置により第１のデータ指示子の受信に応答して第２の送信タイムインターバル中にネットワークノードへ、第３のトランスポートブロックを経て第１のプロトコルデータユニットの第１の冗長性バージョンを送信するのを制御する手段（例えば、８０２Ａ／８０２Ｂ及び／又は８０４、図８）を含み；及びユーザ装置により第１のデータ指示子の受信に応答して第２の送信タイムインターバル中にネットワークノードへ、第４のトランスポートブロックを経て第１のプロトコルデータユニットの第３インスタンスを送信するのを制御する前記手段は、ユーザ装置により第１のデータ指示子の受信に応答して第２の送信タイムインターバル中にネットワークノードへ、第４のトランスポートブロックを経て第１のプロトコルデータユニットの第２の冗長性バージョンを送信するのを制御する手段（例えば、８０２Ａ／８０２Ｂ及び／又は８０４、図８）を含み、第１の冗長性バージョン及び第２の冗長性バージョンは、異なるものである。
【００９４】
装置の規範的実施形態によれば、第３のトランスポートブロックは、第１のプロトコルデータユニットの冗長性バージョンとしての第１のトランスポートブロックの再送信であり、その冗長性バージョンは、ネットワークノードにより指示され、及び第４のトランスポートブロックは、第１のトランスポートブロックの複写である。
【００９５】
装置の規範的実施形態によれば、前記装置は、ユーザ装置によりネットワークノードへ、ユーザ装置が送信のためのデータを有していないことを指示するバッファ状態レポートを送信するのを制御する手段（例えば、８０２Ａ／８０２Ｂ及び／又は８０４、図８）を更に備えている。
【００９６】
装置の規範的実施形態によれば、ユーザ装置により第１及び第２の冗長性バージョンを選択すること；及びユーザ装置によりネットワークノードから、第１及び第２の冗長性バージョンを指示する制御シグナリングを受信するのを制御すること；の少なくとも１つを使用して、第１及び第２の冗長性バージョンを特定する。
【００９７】
装置の規範的実施形態によれば、第３のトランスポートブロックを経て第１のプロトコルデータユニットの第２インスタンスの少なくとも一部分、及び第４のトランスポートブロックを経て第１のプロトコルデータユニットの第３インスタンスの少なくとも一部分、の両方を送信するのを制御するために、共通の変調及びコード化スキームが使用される。
【００９８】
装置の規範的実施形態によれば、第３のトランスポートブロックを経て第１のプロトコルデータユニットの第２インスタンスの少なくとも一部分を送信するのを制御するために第１の変調及びコード化スキームが使用され、及び第４のトランスポートブロックを経て第１のプロトコルデータユニットの第３インスタンスの少なくとも一部分を送信するのを制御するために、第１の変調及びコード化スキームとは異なる第２の変調及びコード化スキームが使用される。
【００９９】
装置の規範的実施形態によれば、第１のプロトコルデータユニットの第２インスタンスの少なくとも一部分は、第１のプロトコルデータユニットの第２インスタンスが初期の又は非複写のプロトコルデータユニットであることを指示するプロトコルデータユニットタイプフィールドを含み；及び第１のプロトコルデータユニットの第３インスタンスの少なくとも一部分は、第１のプロトコルデータユニットの第３インスタンスのペイロードが第１のプロトコルデータユニットの第２インスタンスのペイロードの複写であることを指示するプロトコルデータユニットタイプフィールドを含む。
【０１００】
装置の規範的実施形態によれば、前記装置は、ユーザ装置によりネットワークノードから、第１のプロトコルデータユニットの第２インスタンス及び第３インスタンスの両方ではなくて、第１のプロトコルデータユニットの第２インスタンス及び第３インスタンスの一方のみに対するハイブリッドＡＲＱフィードバックを受信するのを制御する手段（例えば、８０２Ａ／８０２Ｂ及び／又は８０４、図８）を更に備えている。
【０１０１】
装置の規範的実施形態によれば、第１のプロトコルデータユニットは、複数のサービスデータユニットを備え、各サービスデータユニットは、プライオリティを有し、前記装置は、更に、第１のプロトコルデータユニットのサービスデータユニットの１つ以上を、それらサービスデータユニットのプライオリティに基づいて、第１のプロトコルデータユニットの第３インスタンスの少なくとも一部分に割り当てる手段（例えば、８０２Ａ／８０２Ｂ及び／又は８０４、図８）を備えている。
【０１０２】
装置の規範的実施形態によれば、第１のプロトコルデータユニットは、複数のサービスデータユニット及び複数の制御要素を備え、各サービスデータユニット及び制御要素は、プライオリティを有し、前記装置は、更に、第１のプロトコルデータユニットのサービスデータユニット及び制御要素の少なくとも１つを、サービスデータユニットのプライオリティ及び制御要素のプライオリティに基づいて第１のプロトコルデータユニットの第３インスタンスの少なくとも一部分に割り当てる手段（例えば、８０２Ａ／８０２Ｂ及び／又は８０４、図８）を備えている。
【０１０３】
規範的実施形態によれば、コンピュータプログラム製品は、コンピュータ読み取り可能なストレージ媒体を備え、そして少なくとも１つのデータ処理装置により実行されたときに、少なくとも１つのデータ処理装置が方法を遂行するようにさせるよう構成された実行可能なコードを記憶し、前記方法は、ユーザ装置により第１の送信タイムインターバル中に空間的マルチプレクシングを経てワイヤレスネットワークのネットワークノードへ、第１のトランスポートブロックを経て第１のプロトコルデータユニットの第１インスタンスを及び第２のトランスポートブロックを経て第２のプロトコルデータユニットの第１インスタンスを送信するのを制御し；第１のトランスポートブロックがネットワークノードにより受信されなかったことを指示する第１のトランスポートブロックに関連した第１のデータ指示子を受信するのを制御し；第２のトランスポートブロックがネットワークノードにより受信されたことを示す第２のトランスポートブロックに関連した第２のデータ指示子を受信するのを制御し；及びユーザ装置により第１のデータ指示子の受信に応答して第２の送信タイムインターバル中に空間的マルチプレクシングを経てネットワークノードへ、第３のトランスポートブロックを経て第１のプロトコルデータユニットの第２インスタンスの少なくとも一部分を及び第４のトランスポートブロックを経て第１のプロトコルデータユニットの第３インスタンスの少なくとも一部分を送信するのを制御する；ことを含むものである。
【０１０４】
図７は、規範的実施形態によるネットワークノードのオペレーションを示すフローチャートである。オペレーション７１０は、ネットワークノードによりワイヤレスネットワークのユーザ装置から空間的マルチプレクシングを経て第１の送信タイムインターバル中に、第１のトランスポートブロックを経て第１のプロトコルデータユニットの第１インスタンスの少なくとも一部分を及び第２のトランスポートブロックを経て第２のプロトコルデータユニットの第１インスタンスを受信するのを制御することを含む。オペレーション７２０は、第１のプロトコルデータユニットの第１インスタンスを不首尾にデコードすることを含む。オペレーション７３０は、第２のプロトコルデータユニットの第１インスタンスを首尾良くデコードすることを含む。オペレーション７４０は、第１のトランスポートブロックがネットワークノードにより首尾良くデコードされなかったことを指示する第１のトランスポートブロックに関連した第１のデータ指示子を送信するのを制御することを含む。オペレーション７５０は、第２のトランスポートブロックがネットワークノードにより首尾良くデコードされたことを指示する第２のトランスポートブロックに関連した第２のデータ指示子を送信するのを制御することを含む。オペレーション７６０は、ネットワークノードによりユーザ装置から空間的マルチプレクシングを経てネットワークノードへ第１のデータ指示子の送信に応答して第２の送信タイムインターバル中に、第３のトランスポートブロックを経て第１のプロトコルデータユニットの第２インスタンスの少なくとも一部分を及び第４のトランスポートブロックを経て第１のプロトコルデータユニットの第３インスタンスの少なくとも一部分を受信するのを制御することを含む。
【０１０５】
図７の方法の規範的実施形態によれば、第１のプロトコルデータユニットの第２インスタンスの少なくとも一部分は、その第１のプロトコルデータユニットの第１の冗長性バージョンを含み、そして第１のプロトコルデータユニットの第３インスタンスの少なくとも一部分は、その第１のプロトコルデータユニットの第２の冗長性バージョンを含む。
【０１０６】
図７の方法の規範的実施形態によれば、第１のプロトコルデータユニットの第２インスタンスの少なくとも一部分は、その第１のプロトコルデータユニットの第２インスタンスが初期の又は非複写のプロトコルデータユニットであることを指示するプロトコルデータユニットタイプフィールドを含み、そして第１のプロトコルデータユニットの第３インスタンスの少なくとも一部分は、その第１のプロトコルデータユニットの第３インスタンスのペイロードが第１のプロトコルデータユニットの第２インスタンスのペイロードの複写であることを指示するプロトコルデータユニットタイプフィールドを含む。
【０１０７】
規範的実施形態によれば、装置は、ネットワークノードによりワイヤレスネットワークのユーザ装置から空間的マルチプレクシングを経て第１の送信タイムインターバル中に、第１のトランスポートブロックを経て第１のプロトコルデータユニットの第１インスタンスの少なくとも一部分を及び第２のトランスポートブロックを経て第２のプロトコルデータユニットの第１インスタンスを受信するのを制御する手段（例えば、８０２Ａ／８０２Ｂ及び／又は８０４、図８）；第１のプロトコルデータユニットの第１インスタンスを不首尾にデコードする手段（例えば、８０２Ａ／８０２Ｂ及び／又は８０４、図８）；第２のプロトコルデータユニットの第１インスタンスを首尾良くデコードする手段（例えば、８０２Ａ／８０２Ｂ及び／又は８０４、図８）；第１のトランスポートブロックがネットワークノードにより首尾良くデコードされなかったことを指示する第１のトランスポートブロックに関連した第１のデータ指示子を送信するのを制御する手段（例えば、８０２Ａ／８０２Ｂ及び／又は８０４、図８）；第２のトランスポートブロックがネットワークノードにより首尾良くデコードされたことを指示する第２のトランスポートブロックに関連した第２のデータ指示子を送信するのを制御する手段（例えば、８０２Ａ／８０２Ｂ及び／又は８０４、図８）；及びネットワークノードによりユーザ装置から空間的マルチプレクシングを経てネットワークノードへ第１のデータ指示子の送信に応答して第２の送信タイムインターバル中に、第３のトランスポートブロックを経て第１のプロトコルデータユニットの第２インスタンスの少なくとも一部分を及び第４のトランスポートブロックを経て第１のプロトコルデータユニットの第３インスタンスの少なくとも一部分を受信するのを制御する手段（例えば、８０２Ａ／８０２Ｂ及び／又は８０４、図８）を備えている。
【０１０８】
装置は、少なくとも１つのプロセッサ、及びコンピュータインストラクションを含む少なくとも１つのメモリを備え、そのコンピュータインストラクションは、少なくとも１つのプロセッサにより実行されたときに、装置が、ネットワークノードによりワイヤレスネットワークのユーザ装置から空間的マルチプレクシングを経て第１の送信タイムインターバル中に、第１のトランスポートブロックを経て第１のプロトコルデータユニットの第１インスタンスの少なくとも一部分を及び第２のトランスポートブロックを経て第２のプロトコルデータユニットの第１インスタンスを受信するのを制御し；第１のプロトコルデータユニットの第１インスタンスを不首尾にデコードし；第２のプロトコルデータユニットの第１インスタンスを首尾良くデコードし；第１のトランスポートブロックがネットワークノードにより首尾良くデコードされなかったことを指示する第１のトランスポートブロックに関連した第１のデータ指示子を送信するのを制御し；第２のトランスポートブロックがネットワークノードにより首尾良くデコードされたことを指示する第２のトランスポートブロックに関連した第２のデータ指示子を送信するのを制御し；及びネットワークノードによりユーザ装置から空間的マルチプレクシングを経てネットワークノードへ第１のデータ指示子の送信に応答して第２の送信タイムインターバル中に、第３のトランスポートブロックを経て第１のプロトコルデータユニットの第２インスタンスの少なくとも一部分を及び第４のトランスポートブロックを経て第１のプロトコルデータユニットの第３インスタンスの少なくとも一部分を受信するのを制御する；ようにさせるものである。
【０１０９】
装置の規範的実施形態によれば、第１のプロトコルデータユニットの第２インスタンスの少なくとも一部分は、その第１のプロトコルデータユニットの第１の冗長性バージョンを含み、及び第１のプロトコルデータユニットの第３インスタンスの少なくとも一部分は、その第１のプロトコルデータユニットの第２の冗長性バージョンを含む。
【０１１０】
装置の規範的実施形態によれば、第１のプロトコルデータユニットの第２インスタンスの少なくとも一部分は、その第１のプロトコルデータユニットの第２インスタンスが初期の又は非複写のプロトコルデータユニットであることを指示するプロトコルデータユニットタイプフィールドを含み、及び第１のプロトコルデータユニットの第３インスタンスの少なくとも一部分は、その第１のプロトコルデータユニットの第３インスタンスのペイロードが第１のプロトコルデータユニットの第２インスタンスのペイロードの複写であることを指示するプロトコルデータユニットタイプフィールドを含む。
【０１１１】
図８は、規範的実施形態によるワイヤレスステーション（例えば、ＡＰ又はユーザ装置）８００のブロック図である。ワイヤレスステーション８００は、例えば、１つ又は２つのＲＦ（高周波）又はワイヤレストランシーバ８０２Ａ、８０２Ｂを備え、各ワイヤレストランシーバは、信号を送信するための送信器、及び信号を受信するための受信器を含む。又、ワイヤレスステーションは、インストラクション又はソフトウェアを実行しそして信号の送信及び受信を制御するためのプロセッサ又は制御ユニット／エンティティ（コントローラ）８０４、及びデータ及び／又はインストラクションを記憶するためのメモリ８０６も備えている。
【０１１２】
又、プロセッサ８０４は、判断又は決定、送信のためのフレーム、パケット又はメッセージの生成、受信したフレーム又はメッセージの更なる処理のためのデコード、及びここに述べる他のタスク又は機能も遂行する。例えば、基本帯域プロセッサであるプロセッサ８０４は、ワイヤレストランシーバ８０２（８０２Ａ又は８０２Ｂ）を経て送信するためのメッセージ、パケット、フレーム又は他の信号を生成する。プロセッサ８０４は、ワイヤレスネットワークを経ての信号又はメッセージの送信を制御し、そしてワイヤレスネットワークを経ての信号又はメッセージの受信を制御する（例えば、ワイヤレストランシーバ８０２によりダウン変換された後に）。プロセッサ８０４は、プログラム可能であり、そして上述したタスク又は方法の１つ以上のような、上述した種々のタスク及び機能を遂行するように、メモリ又は他のコンピュータ媒体に記憶されたソフトウェア又は他のインストラクションを実行することができる。プロセッサ８０４は、例えば、ソフトウェア又はファームウェアを実行するハードウェア、プログラム可能なロジック、プログラム可能なプロセッサ、及び／又はそれらの組み合せである（又はそれらを含む）。他の用語を使用すると、プロセッサ８０４及びトランシーバ８０２は、どちらも、例えば、ワイヤレス送信／受信システムと考えられる。
【０１１３】
更に、図８を参照すれば、コントローラ（又はプロセッサ）８０８は、ソフトウェア及びインストラクションを実行し、ステーション８００の全制御を与え、図８に示されていない他のシステムのための制御、例えば、入力／出力デバイス（例えば、ディスプレイ、キーパッド）の制御を与え、及び／又はワイヤレスステーション８００に与えられる１つ以上のアプリケーションのためのソフトウェア、例えば、ｅメールプログラム、オーディオ／ビデオアプリケーション、ワードプロセッサ、ボイスオーバーＩＰアプリケーション、或いは他のアプリケーション又はソフトウェアを実行することができる。
【０１１４】
更に、コントローラ又はプロセッサにより実行されたときに、プロセッサ８０４或いは他のコントローラ又はプロセッサに前記機能又はタスクの１つ以上を行わせるインストラクションを記憶したストレージ媒体が設けられる。
【０１１５】
別の規範的な実施形態によれば、ＲＦ又はワイヤレストランシーバ８０２Ａ／８０２Ｂは、信号又はデータを受信し、及び／又は信号又はデータを送信又は送出してもよい。プロセッサ８０４（及びおそらくトランシーバ８０２Ａ／８０２Ｂ）は、信号又はデータを受信、送出、ブロードキャスト又は送信するためにＲＦ又はワイヤレストランシーバ８０２Ａ又は８０２Ｂを制御する。
【０１１６】
しかしながら、以上の実施形態は、一例として示されたシステムに限定されず、当業者であれば、その解決策を他の通信システムに適用することができる。適当な通信システムの別の例は、５Ｇの概念である。５Ｇのネットワークアーキテクチャーは、ＬＴＥアドバンストに極めて類似している。５Ｇは、おそらく、多入力・多出力（ＭＩＭＯ）アンテナを使用し、小型ステーションと協働するマクロサイトを含めて、ＬＴＥ（いわゆる小型セルの概念）より多数のベースステーション又はノードを使用し、そしておそらく、良好なカバレージ及びデータレートの改善のために種々の無線テクノロジーも利用する。
【０１１７】
将来のネットワークは、おそらく、ネットワークノード機能を、作動的に接続又はリンクしてサービスを提供する「ビルディングブロック」又はエンティティへとバーチャル化することを提案するネットワークアーキテクチャー概念であるネットワーク機能バーチャル化（ＮＦＶ）を利用することが明らかである。バーチャル化ネットワーク機能（ＶＮＦ）は、カスタマイズされたハードウェアではなく標準的又は一般的タイプサーバーを使用してコンピュータプログラムコードを実行する１つ以上のバーチャルマシンを含む。クラウドコンピューティング又はデータストレージも使用できる。無線通信において、これは、ノードオペレーションが、リモート無線ヘッドに作動的に結合されたサーバー、ホスト又はノードにおいて少なくとも部分的に実行される。又、ノードオペレーションは、複数のサーバー、ノード又はホストの間に分散されることも考えられる。又、コアネットワークオペレーションとベースステーションオペレーションとの間での労力の配分は、ＬＴＥとは異なってもよいし、又は不存在であってもよいことを理解されたい。
【０１１８】
ここに述べる種々の技術の実施形態は、デジタル電子回路において、或いはコンピュータハードウェア、ファームウェア、ソフトウェア、又はそれらの組み合せにおいて具現化される。それらの実施形態は、コンピュータプログラム製品として、即ち、例えば、マシン読み取り可能なストレージデバイス又は伝播信号のような情報キャリアにおいて有形に実施されるコンピュータプログラムとして、データ処理装置、例えば、プログラム可能なプロセッサ、コンピュータ、又は多数のコンピュータにより実行するために、又はそのオペレーションを制御するために、具現化される。又、それらの実施形態は、非一時的媒体であるコンピュータ読み取り可能な媒体又はコンピュータ読み取り可能なストレージ媒体でも行われる。又、種々の技術の実施は、一時的信号又は媒体を経て行われる実施、及び／又はワイヤードネットワークかワイヤレスネットワークかに関わらずインターネット又は他のネットワークを経てダウンロードできるプログラム及び／又はソフトウェア実施も含む。更に、マシンタイプ通信（ＭＴＣ）を経て及びモノのインターネット（ＩＯＴ）を経て実施がなされてもよい。
【０１１９】
コンピュータプログラムは、ソースコード形態、オブジェクトコード形態又はある中間的形態にあり、そしてプログラムを搬送できるエンティティ又はデバイスであるある種のキャリア、配布媒体、又はコンピュータ読み取り可能な媒体に記憶される。そのようなキャリアは、例えば、レコード媒体、コンピュータメモリ、リードオンリメモリ、光電及び／又は電気的キャリア信号、テレコミュニケーション信号、及びソフトウェア配布パッケージを含む。必要な処理能力に基づいて、コンピュータプログラムは、単一の電子的デジタルコンピュータで実行されてもよいし、又は多数のコンピュータの間に分散されてもよい。
【０１２０】
更に、ここに述べる種々の技術の実施形態は、サイバーフィジカルシステム（ＣＰＳ）（計算要素が協力して物理的エンティティを制御するシステム）を使用してもよい。ＣＰＳは、異なる位置で物理的オブジェクトに埋め込まれた大量の相互接続ＩＣＴデバイス（センサ、アクチュエータ、プロセッサ、マイクロコントローラ、等）を実施及び利用できるようにする。当該物理的システムが固有の移動性を有するモバイルサイバーフィジカルシステムは、サイバーフィジカルシステムの下位区分である。モバイルフィジカルシステムの例は、人間又は動物により搬送される移動ロボット及び電子装置を含む。スマートホン人気の上昇でモバイルサイバーフィジカルシステムの分野の関心が高まった。それ故、ここに述べる技術の種々の実施形態が、それら技術の１つ以上を経て提供される。
【０１２１】
上述したコンピュータプログラムのようなコンピュータプログラムは、コンパイル型又は解釈型言語を含む任意の形態のプログラミング言語で書くことができ、そしてスタンドアローンプログラム、或いは計算環境で使用するのに適したモジュール、コンポーネント、サブルーチン又は他のユニット又はその一部分を含めて、任意の形態で展開することができる。コンピュータプログラムは、１つのサイトで、又は多数のサイトにわたって分散されて通信ネットワークで相互接続されて、１つのコンピュータにおいて又は多数のコンピュータにおいて実行されるように展開できる。
【０１２２】
方法ステップは、入力データに作用して出力を発生することにより機能を遂行するようにコンピュータプログラム又はコンピュータプログラム部分を実行する１つ以上のプログラム可能なプロセッサにより遂行される。又、方法ステップは、特殊目的の論理回路、例えば、ＦＰＧＡ（フィールドプログラマブルゲートアレイ）又はＡＳＩＣ（特定用途向け集積回路）により遂行され、そして装置は、そのような特殊目的の論理回路として実施される。
【０１２３】
コンピュータプログラムの実行に適したプロセッサは、例えば、汎用及び特殊目的マイクロプロセッサの両方、任意の種類のデジタルコンピュータの１つ以上のプロセッサ、チップ又はチップセットを含む。一般的に、プロセッサは、リードオンリメモリ又はランダムアクセスメモリ又はその両方からインストラクション及びデータを受け取る。コンピュータの要素は、インストラクションを実行するための少なくとも１つのプロセッサ、及びインストラクション及びデータを記憶するための１つ以上のメモリデバイスを含む。又、一般的に、コンピュータは、データを記憶するための１つ以上の大量記憶装置、例えば、磁気、磁気光学ディスク又は光学ディスクを備え、或いはそこからデータを受け取るか、又はそこへデータを転送するか又はその両方を行うように作動的に結合される。コンピュータプログラムインストラクション及びデータを実施するのに適した情報キャリアは、例えば、半導体メモリデバイス、例えば、ＥＰＲＯＭ、ＥＥＰＲＯＭ及びフラッシュメモリデバイス；磁気ディスク、例えば、内部ハードディスク又は除去可能なディスク；磁気光学ディスク；並びにＣＤ  ＲＯＭ及びＤＶＤ−ＲＯＭディスクを含めて、全ての形式の不揮発性メモリを含む。プロセッサ及びメモリは、特殊目的論理回路により補足されさもよいし、又はそこに合体されてもよい。
【０１２４】
ユーザとの対話を与えるため、前記実施形態は、ユーザに情報を表示するためのディスプレイ装置、例えば、陰極線管（ＣＲＴ）又は液晶ディスプレイ（ＬＣＤ）モニタ、及びユーザインターフェイス、例えば、ユーザがコンピュータに入力を与えられるようにするキーボード及びポインティングデバイス、例えば、マウス又はトラックボールを有するコンピュータにおいて具現化される。ユーザとの対話を与えるために他の種類のデバイスも使用でき、例えば、ユーザに与えられるフィードバックは、任意の形態の感覚フィードバック、例えば、視覚フィードバック、聴覚フィードバック又は触覚フィードバックであり、そしてユーザからの入力は、音響、スピーチ又は触覚入力を含む任意の形態で受け取ることができる。
【０１２５】
前記実施形態は、後端コンポーネントを、例えば、データサーバーとして含むか、中間コンポーネントを、例えば、アプリケーションサーバーとして含むか、又は前端コンポーネントを、例えば、クライアントコンピュータとして含むコンピューティングシステムにおいて具現化され、そのクライアントコンピュータは、ユーザが実施体或いはそのような後端、中間又は前端コンポーネントの組み合せ体と対話できるようにするグラフィックユーザインターフェイス又はウェブブラウザを有している。それらコンポーネントは、任意の形態のデジタルデータ通信媒体、例えば、通信ネットワークにより相互接続される。それら通信ネットワークの例は、ローカルエリアネットワーク（ＬＡＮ）、及びワイドエリアネットワーク（ＷＡＮ）、例えば、インターネットを含む。
【０１２６】
前記実施形態の幾つかの特徴がここに例示されたが、当業者であれば、多数の修正、置き換え、変更及び等効物が明らかであろう。それ故、種々の実施形態の真の精神に含まれるそのような修正及び変更は、全て、特許請求の範囲内に網羅されると理解されたい。
【符号の説明】
【０１２７】
１３０：ワイヤレスネットワーク
１３１、１３２、１３３、１３５：ユーザデバイス
１３６：セル
１５０：コアネットワーク
１５１：Ｓ１インターフェイス
２００：ワイヤレストランシーバ
２１０：送信路
２１２：受信路
２２０：デジタル／アナログコンバータ（Ｄ−Ａ）
２２２：アップミックスブロック
２２４：電力増幅器（ＰＡ）
２２６：ダイプレクサ
２２８：アンテナ
２３０：低ノイズ増幅器（ＬＮＡ）
２３２：変換ブロック
２３４：アナログ／デジタル（Ａ−Ｄ）コンバータ
８００：ワイヤレスステーション
８０２：ワイヤレストランシーバ
８０４：プロセッサ
８０６：メモリ
８０８：コントローラ（又はプロセッサ）
【図１】
2019504544.tif 000003
【図２】
2019504544.tif 000004
【図３】
2019504544.tif 000005
【図４】
2019504544.tif 000006
【図５】
2019504544.tif 000007
【図６】
2019504544.tif 000008
【図７】
2019504544.tif 000009
【図８】
2019504544.tif 000010
【国際調査報告】
2019504544.tif 000011
2019504544.tif 000012
2019504544.tif 000013